(57)【特許請求の範囲】
【請求項１】
第１音楽サービスに対応付けられた音楽トラックの第１ライブラリを特定することであって、前記第１音楽サービスは音楽トラックの前記第１ライブラリの１つ以上の音楽トラックを含むプレイリストの生成を可能にし、前記１つ以上の音楽トラックのうち少なくとも１つは前記１つ以上の音楽トラックにそれぞれ対応するメタデータを含む、前記第１ライブラリを特定することと、
プレイリスト適合性サービスの１つ以上のコンピュータシステムにより、前記１つ以上の音楽トラックを含む前記プレイリストを受信することと、
前記プレイリストの前記１つ以上の音楽トラックのうち少なくとも１つの音楽トラックに関して、
前記少なくとも１つの音楽トラックに特定された適合性階層にアクセスすることであって、前記適合性階層は、前記少なくとも１つの音楽トラックに個々に対応する前記メタデータと、第２音楽サービスに対応付けられた音楽トラックの第２ライブラリのそれぞれの音楽トラックに対応する第２メタデータとに少なくとも一部基づいた複数の適合性レベルを含む、前記適合性階層にアクセスすることと、
前記適合性階層にあり且つ変換技術を適用して雑音情報を取り除いた前記音楽トラックに基づいて一致音楽トラックを求めて音楽トラックの前記第２ライブラリを検索することと、
前記第１音楽サービスが生成した前記プレイリストが音楽トラックの前記第２ライブラリのそれぞれの前記音楽トラックで再生可能なように、少なくとも前記一致音楽トラックを前記プレイリストに追加することと、
前記第２音楽サービスが前記プレイリストを使用して音楽トラックの前記第２ライブラリのそれぞれの前記音楽トラックを再生することを可能にすることと
を含むコンピュータ実施方法。
【請求項２】
前記複数の適合性レベルは、閾値未満で変化した複製ファイル、同一条件下での同一実演者による代替実演、異なる条件下での前記同一実演者による第２代替実演、または異なる実演者による異なる実演のうち、少なくとも２つ含む、請求項１に記載のコンピュータ実施方法。
【請求項３】
前記複数の適合性レベルに少なくとも一部基づいて、前記一致音楽トラックに関する適合スコアを決定することをさらに含む請求項２に記載のコンピュータ実施方法。
【請求項４】
音楽トラックの前記第１ライブラリは、前記第２音楽サービスによりアクセス不可能である請求項１に記載のコンピュータ実施方法。
【請求項５】
前記プレイリストを使用して音楽トラックの前記第２ライブラリのそれぞれの前記音楽トラックの再生を可能にするために、前記第２音楽サービスに対し前記プレイリストを提供することをさらに含む請求項１に記載のコンピュータ実施方法。
【請求項６】
コンピュータ実行可能命令を記憶するメモリと、
前記メモリにアクセスし、前記コンピュータ実行可能命令を実行して、集合的に少なくとも
複数の電子コンテンツアイテムを特定するリストを受信し、前記リストのうち少なくとも１つのアイテムは第１サービスプロバイダに対応付けられており、
前記少なくとも１つのアイテムに特定された適合性階層にアクセスし、前記適合性階層は適合性測定の順位リストを備え、それぞれ、前記少なくとも１つのアイテムに対するアイテム一致の異なる一致度を含み、前記適合性階層は、第２サービスプロバイダに対応付けられたアイテムに少なくとも一部基づいて生成されており、
前記適合性階層へのアクセスに応答し、前記適合性階層にあり且つ変換技術を適用して雑音情報を取り除いたアイテムに基づいて、前記第１サービスプロバイダのアイテムに対応する前記第２サービスプロバイダの一致アイテムを特定し、
前記少なくとも１つのアイテムの代わりに前記一致アイテムに対しアクションを実行するように前記第２サービスプロバイダに命令を与えるように構成されたプロセッサと
を備えるシステム。
【請求項７】
前記適合性測定には、完全アイテム一致、複製アイテム一致、代替同一アイテム一致、代替異質アイテム一致、異質実演アイテム一致、または変形アイテム一致のうち、少なくとも１つが含まれる、請求項６に記載のシステム。
【請求項８】
完全アイテム一致が前記第２サービスプロバイダにより提供される場合、前記一致アイテムは特定される、請求項７に記載のシステム。
【請求項９】
完全アイテム一致が前記第２サービスプロバイダにより提供されない場合、別のアイテムが推薦される、請求項７に記載のシステム。
【請求項１０】
前記別のアイテムは、前記第２サービスプロバイダにより提供される、複製アイテム、代替同一アイテム、代替異質アイテム、異質実演アイテム、または変形アイテムのうち、少なくとも１つである、請求項９に記載のシステム。
【請求項１１】
コンピュータ実行可能命令を記憶するメモリと、
前記メモリにアクセスし、前記コンピュータ実行可能命令を実行して、集合的に少なくとも
メタデータに対応付けられた、第１サービスプロバイダに対応する電子オーディオファイルを特定し、
第２サービスプロバイダの適合オーディオファイルに対するアクセス要求を受信し、
前記電子オーディオファイルに特定され、複数の適合性レベルを有する適合性階層にアクセスし、
少なくとも
前記複数の適合性レベルの少なくとも一部の適合性レベルに基づき、前記第２サービスプロバイダ内にあり且つ変換技術を適用して雑音情報を取り除いた電子オーディオファイル内で完全一致を検索し、
前記複数の適合性レベルの１つ以上の適合性レベルに少なくとも基づき、完全一致が見つからない場合、前記第２サービスプロバイダの前記電子オーディオファイル内で複製一致を検索し、
前記複数の適合性レベルの１つ以上の適合性レベルに少なくとも基づき、複製一致が見つからない場合、前記第２サービスプロバイダの前記電子オーディオファイル内で代替一致を検索し、
前記複数の適合性レベルの１つ以上の適合性レベルに少なくとも基づき、代替一致が見つからない場合、前記第２サービスプロバイダの前記電子オーディオファイル内で異質一致を検索し、
前記複数の適合性レベルの１つ以上の適合性レベルに少なくとも基づき、異質一致が見つからない場合、前記第２サービスプロバイダの前記電子オーディオファイル内で変形一致を検索するために、適合性階層を使用して、前記電子オーディオファイル及び前記適合性階層の関連情報に少なくとも一部基づいて前記第２サービスプロバイダの前記適合オーディオファイルを特定するように構成されたプロセッサと
を備えるシステム。
【請求項１２】
前記複製一致は、複製工程により軽微に変化した、前記電子オーディオファイルのコンテンツの複製である前記適合オーディオファイルを含む、請求項１１に記載のシステム。
【請求項１３】
前記代替一致は、前記電子オーディオファイルのコンテンツの代替実演である前記適合オーディオファイルを含み、前記代替実演は、１）前記適合オーディオファイルに関して同一実演者と同一実演条件、または２）前記適合オーディオファイルの前記コンテンツに関して同一実演者と異なる実演条件のうち少なくとも１つを含む、請求項１１に記載のシステム。
【請求項１４】
前記異質一致は、前記電子オーディオファイルのコンテンツの異なる実演者による異なる実演である前記適合オーディオファイルを含む、請求項１１に記載のシステム。
【請求項１５】
前記変形一致は、前記電子オーディオファイルのコンテンツの異なる編曲である前記適合オーディオファイルを含む、請求項１１に記載のシステム。
【発明の詳細な説明】
【技術分野】
【０００１】
本出願は、国際出願であり、２０１３年１０月２１日に米国特許商標庁に出願された「メディアコンテンツ管理とプレイリスト共有（ＭＡＮＡＧＩＮＧ  ＭＥＤＩＡ  ＣＯＮＴＥＮＴ，  ＰＬＡＹＬＩＳＴ  ＳＨＡＲＩＮＧ）」と題する米国特許出願第１４／０５９，３０１号（代理人整理番号９０２０４−８８０９５７（０６６１００ＵＳ））、及び「メディアコンテンツ管理と統合プレーヤー（ＭＡＮＡＧＩＮＧ  ＭＥＤＩＡ  ＣＯＮＴＥＮＴ，  ＦＥＤＥＲＡＴＥＤ  ＰＬＡＹＥＲ）」と題する米国特許出願第１４／０５９，１４７号（代理人整理番号９０２０４−８８９３６３（０６９４００ＵＳ））の両出願に対する優先権を主張し、それぞれの全ての内容が参照することにより本明細書に全て記載されているように本明細書に組み込まれる。
【背景技術】
【０００２】
近年、電子コンテンツアイテム、特に電子音楽ファイルをプレイリストに整理することが広く普及している。このような整理には、ユーザすなわち聴者の有する音楽をその人の選好に基づいて編成することが含まれ得る。例えば、ユーザは、運動中に聞きたい異なるアーティストの異なる曲のプレイリストを作成し得る。一般にプレイリストは、その作成に使用されたデバイスまたはサービスに特化される。従って、プレイリストに対応付けられた電子コンテンツアイテムの管理は、ユーザ及びメディアコンテンツサービスの両者にとって課題となり得る。
【０００３】
本開示による様々な実施形態が、以下の図面に関連して説明される。
【図面の簡単な説明】
【０００４】
【図１】少なくとも１つの実施例による、本明細書において説明されるプレイリスト管理システムを使用して、第１ライブラリから作成されたプレイリストを第２ライブラリに対応付ける例示的図解を示す。
【図２】少なくとも１つの実施例による、本明細書において説明されるプレイリスト管理システムを実行する例示的アーキテクチャを示す。
【図３】少なくとも１つの実施例による、本明細書において説明されるプレイリスト制御モジュールを実行する例示的アーキテクチャを示す。
【図４】少なくとも１つの実施例による、本明細書において説明されるプレイリスト管理システムを実行する工程の例示的フロー図を示す。
【図５】少なくとも１つの実施例による、本明細書において説明されるプレイリスト管理システムを実行する工程の例示的フロー図を示す。
【図６】少なくとも１つの実施例による、本明細書において説明されるプレイリスト管理システムを実行する工程の例示的フロー図を示す。
【図７】少なくとも１つの実施例による、本明細書において説明される統合プレーヤーモジュールを実行する例示的アーキテクチャを示す。
【図８】少なくとも１つの実施例による、本明細書において説明されるプレイリスト管理システムを実行する工程の例示的フロー図を示す。
【図９】少なくとも１つの実施例による、本明細書において説明されるプレイリスト管理システムを実行する工程の例示的フロー図を示す。
【図１０】少なくとも１つの実施例による、本明細書において説明されるプレイリスト管理システムを実行する工程の例示的フロー図を示す。
【図１１】少なくとも１つの実施例による、本明細書において説明されるプレイリスト管理システムの様々な実施形態が実行可能な例示的環境を示す。
【発明を実施するための形態】
【０００５】
以下の記述において、様々な実施形態が説明される。説明の適用上、実施形態の完全な理解のために、特定的な構成及び詳細が明らかにされる。しかしながら、実施形態は、これらの特定的な詳細なしに実行可能であることは、当業者には明らかであろう。さらに、実施形態の説明を曖昧にしないために、周知の特徴は省略または簡略化され得る。
【０００６】
本明細書において説明される実施形態及び技術は、例えばオーディオトラック、ストリーミングオーディオ構成、オーディオブック、ビデオファイル、イメージファイル等を含むプレイリストに追加可能な任意の種類の電子コンテンツアイテムに適応し得ることが理解される。実施形態はまた、当業者にとって通例の任意のオーディオ、ビデオ、イメージ、その他のフォーマットを受入れるようにも構成され得る。一貫性のある簡潔な論述のため、当開示ではオーディオファイル、音楽ファイル、メディアファイル、及び／またはオーディオトラックに関する実施形態及び技術を主に説明する。しかしながら、このような論述は、開示内容をこれらの態様に限定することは決してない。
【０００７】
いくつかの実施例において、ユーザは第１音楽サービスの音楽プレイリストを第２音楽サービスで使用することを所望し得る。よってユーザは、第１音楽サービスにアクセスしながら第１音楽サービスから得た曲を含むプレイリストを生成し得る。そして第２音楽サービスは、ユーザから音楽プレイリストを受信し、音楽プレイリストの曲を通して再生できるように、第２音楽サービスの曲に一致させるように構成され得る。いくつかの実施例において、第２音楽サービスは、第２音楽サービスのライブラリにおいて、プレイリストの各トラックにビットレベルで正確に一致する曲を検索し得る。当レベルで一致する曲が、新規プレイリストに含まれる。いくつかの実施例において、第２音楽サービスは、一部のトラックに関してビットレベルで正確に一致する曲を見つけることが不可能であり得る。この場合、第２音楽サービスは、第２音楽サービスのライブラリにおいて、他の適合性のあるトラックを検索し得る。いくつかの事例において、他の適合性のあるトラックは、複製工程により少しだけ変化した複製、同一条件下での同一実演者による同一曲の代替実演、異なる条件下での同一実演者による同一曲の代替実演、異なる実演者による同一曲の異なる実演、及び同一曲の代替編曲であり得る。いくつかの態様において、第２音楽サービスから得た曲が新規プレイリストに一旦追加されると、第２音楽サービスは、ユーザに新規プレイリストを再生するように構成され得る。
【０００８】
さらに、いくつかの実施例において、ユーザは、異なるソースから得た様々な曲を含むプレイリストを再生するのに、単一のメディアプレーヤーを使用することを所望し得る。例えば、ユーザはネットワークベースの音楽サービスに登録し、かつローカルに格納された曲を含むコンピューティングデバイスのローカル音楽アプリケーションを使用し得る。いくつかの事例において、ネットワークベースの音楽サービスとローカル音楽アプリケーションの両方からの曲を含む統合プレイリストをユーザが再生できるように構成された統合メディアプレーヤーにより、ユーザはプレイリストを作成可能でなり得る（例えば２つのソースが異なる独自のフォーマットで符号化された曲ファイルを含む場合でも）。統合メディアプレーヤーは、ネットワークベースの音楽サービス、ローカル音楽アプリケーション、及びユーザが曲を利用可能なその他のソースにアクセスする（例えばそれぞれの独自のフォーマットで通信する）ように構成され得る。当アクセスにより、統合メディアプレーヤーはプレイリストを再生可能になり得る。いくつかの実施例において、統合プレイリストには少なくとも部分的に、統合メディアプレーヤーに対応付けられた音楽サービス（例えば前に論述された第２メディアサービス等）により特定された適合トラックが追加され得る。
【０００９】
例示的実施形態によれば、ユーザは、電子コンテンツアイテムを含むメディアライブラリを所有し得る、または電子コンテンツアイテムを含むメディアライブラリに対しアクセス可能であり得る。例えば、ユーザは以前、電子マーケットプレイスから多数のオーディオトラックを購入しダウンロードし得た。当該オーディオトラックは、メディアライブラリに含まれ、ユーザデバイス上のファイルディレクトリに従って格納され得る。いくつかの実施例において、メディアプレーヤーは、オーディオトラックのファイルディレクトリの場所に基づいて、オーディオトラックを編成し再生するように構成され得る。従って、メディアライブラリのオーディオトラックは、ユーザデバイス（例えばパーソナルコンピュータ、ラップトップ、タブレットコンピュータ、モバイルデバイス等）のローカルに、または別の場所（例えば外部ハードドライブ、ウェブベースストレージ等）に格納され得る。別の実施例においては、メディアライブラリは、利用規約または限定使用契約（例えば会員契約型ストリーミングメディアサービス、無料ストリーミングメディアサービス等）の下、ユーザが利用可能な曲を備え得る。しかしながら、現行の実施例に戻ると、ユーザは、オーディオプレーヤーまたは他のツール（複数可）を使用して、例示的プレイリストにオーディオトラックを整理し得る。同様のプレイリストは少なくとも１つのオーディオトラックを含み得るが、当実施例においては、プレイリストは複数のオーディオトラックを含み得る。プレイリストはユーザデバイスに特化され得る（すなわち、プレイリストにデータ追加し再生するために、プレイリストはユーザデバイス上の各オーディオトラックの格納ディレクトリの場所に依存し得る）ため、プレイリストはユーザデバイス上でのみ再生可能であり得る。従って、プレイリストを異なるメディアプレーヤー、異なるデバイス、またはその他で再生することは、ユーザにとって煩わしくあり得る。
【００１０】
しかしながら、本明細書の実施形態によれば、システムは、ユーザのプレイリストを別の場所またはサービスに作成及び／または移動することを可能にし得ると説明される。従って、プレイリストは、複数のユーザデバイス、メディアプレーヤー、及び／またはサービス上で再生可能であり得る。当実施例において、システムは、さらに詳しく後述される複数の方法のうちの少なくとも１つを使用して、プレイリストを備えるオーディオトラックを特定し得る。プレイリストのオーディオトラックの特定に少なくとも一部基づいて、システムは、特定されたオーディオトラックを、オーディオトラックの適合性ライブラリと比較し得る。いくつかの事例において、適合性ライブラリは、多数のオーディオトラックを備え、適合性ライブラリ内のオーディオトラックの適合性または関連性に従って編成され得る。このような編成は、適合性階層に少なくとも一部基づいて達成され得る。次に、システムは、異なるデバイス、メディアプレーヤー、及び／またはサービス上で再生可能であり、ユーザの元のプレイリストに含まれていたオーディオトラックに適合するオーディオトラックを含む新規プレイリストを生成し得る。従って、少なくとも当実施例において、新規プレイリストは元のプレイリストと類似し、複数のメディアプレーヤー及び／またはサービス上で再生可能であり得る。別の実施例において、新規プレイリストは、元のプレイリストと同一であり得る、または元のプレイリストより多くの、もしくは少ないオーディオトラックを含み得る。
【００１１】
追加例示実施形態によれば、前述のユーザは、複数の場所に格納された、及び／または複数のメディアコンテンツサービスに対応付けられたオーディオトラックもしくは他の電子コンテンツアイテムを所有し得る、またはその権利を有し得る。例えば、前述のユーザの元のプレイリストは、当実施例において、ユーザデバイスだけでなくウェブベースストレージドライブにも格納されたオーディオトラックを含み、さらにオンライン音楽ストリーミングサービスの一環としてオーディオトラックを再生する権利を備え得る。当例示的実施形態によれば、システムは、適合性ライブラリからのオーディオトラックに少なくとも一部基づいて、前述され、さらに詳しく後述される方法と技術を使用して、プレイリストにデータを追加し得る。当第２例示的実施形態によれば、統合メディアプレーヤーが提供され得る。システムの一部として、統合メディアプレーヤーは、それぞれのオーディオトラックの格納場所、及び／またはユーザがオーディオトラックの権利を有し得るサービスに関係なく、プレイリストに含まれる複数のオーディオトラックに対しアクセス可能であり得る。従って、統合メディアプレーヤーは、いくつかの実施例において、プレイリストを作成するのに使用されたメディアプレーヤーまたはサービスに関係なくプレイリストを再生するように構成され、とりわけ複数の異なるソース及び／またはサービスからのオーディオトラックを含むプレイリストを再生するように構成され得る。
【００１２】
本明細書において説明され提案される技術に沿った本開示の実施形態はとりわけ、適合性の面からオーディオファイルを分類することに関する。適合性の面からオーディオファイルを分類することにより、一般的音楽一致群の作成、すなわち最初の音楽ファイルにある点で類似するオーディオファイルの一致群の作成が可能となり得る。いくつかの実施例において、最初のオーディオファイルは、ユーザが作成したプレイリストに含まれる曲であり得る。プレイリストは、１曲以上を含み得る。ユーザは以前に、自身のユーザデバイス上で、またはウェブベース音楽サービスにおいて、またはその他の方法により、プレイリストを作成し得た。さらに、ユーザは、本明細書において説明されるシステム、実施形態、及び技術に関連する音楽サービスを使用して、プレイリストを作成し得た。プレイリストに含まれる曲は、ユーザがどのようにプレイリストを作成したかに関係なく、オーディオファイルの一部として記憶されたメタデータ（例えばアーティスト、アルバム、曲名、収録年等）と一緒に、例えば録音固有識別子（例えば録音の長さ、音の粒度等）を含む識別特性または識別情報を有し得る。しかしながら、ユーザはいくつかのサービスのうちいずれかのサービスを使用してプレイリストを作成し得たため、正確なオーディオファイルと関連識別特性及び／またはメタデータは、プレイリストの作成に使用したサービス以外のサービスでは認識不可能であり得る。従って、ユーザがプレイリストを１つのサービスから新規のサービスに変換しようとする、または同様のプレイリストを新規のサービスで作成しようとする場合、ユーザはプレイリストを楽しむことを妨げられ得る。
【００１３】
本明細書において説明される技術によれば、前述のユーザのプレイリストからの例示的曲は、高粒度で特定され、本明細書において説明される実施形態に従ってデータが追加される一般的音楽一致群のデータベースと比較され得る。当一般的音楽一致群のデータベースは、新規のサービスがプレイリストの曲を再生可能であるか、または異なる適合度の曲を推薦可能であるかを判定するのに使用され得る。例えば、一般的音楽一致群データベースは、適合性の高さに従って、データが追加され、並び替えまたは整理され得る。別の実施形態において、データベースは、適合性の低さに従って、並び替えまたは整理され得る。例えば、ビット単位同一オーディオファイル（すなわちビットレベルで同一のファイル）は、最も適合性の高い一致となり得る。一方で、ユーザの曲と比較して過去に録音されたオーディオファイル、及び／または異なるスタジオで録音されたオーディオファイル（従って、恐らくビット単位で同一ではない）は、適合性のより低い一致となり得る。本明細書において説明される少なくとも１つの実施形態は、当情報を利用して、ユーザに、ユーザの曲とデータベース内の曲との適合度を知らせ得る。そしてユーザは、適合度が受容可能であるか否かを判断し、受容可能であれば、新規のサービスから一致曲を購入し得る、または新規のサービスに配置されたプレイリストに一致曲を追加し得る。適合度の閾値を満たす曲がない場合、ユーザの曲は、いつか一致曲が見つかる可能性を見込んで、プレイリスト内に保持され得る。一般的音楽一致群とのユーザ対話に関する別の実施例は、さらに詳しく後述される。
【００１４】
さらに、本開示はまた、複数の異なるメディアソースからのメディアファイルのプレイリストに対応可能な統合メディアプレーヤーを提供することに関し得る。例えば、しばしばユーザは、複数の場所に配置されたメディアファイルに対する権利（例えば所有権、使用権、限定使用権等）を有し得る。これらの場所は、お互いに物理的に離れた、及び／または論理的に離れた状態であり得る。例えば、ユーザは、自身のパーソナルコンピュータ上にローカルに格納されたメディアファイル、及び／またはウェブベースのストレージシステムに格納されウェブベース会員契約サービスの一環としてアクセス可能なメディアファイル、及び／または他の場所に格納されたメディアファイルを有し得る。いくつかの実施例において、ユーザは、複数の場所に格納されたメディアファイルからプレイリストを作成することを所望し得る。本明細書において説明される１つの実施例において、統合メディアプレーヤーが開示される。当実施形態によれば、前述のようなプレイリストは、統合メディアプレーヤーにより、複数の場所から対応され得る（例えばユーザはプレイリスト内のメディアファイルを再生可能である）。統合メディアプレーヤーを実行するための別の実施例及び技術は、さらに詳しく後述される。
【００１５】
図１は、メディアファイルのプレイリストを管理する技術を実施した場合の例示的図解１００を描く。これらの技術及び他は、少なくとも図２〜９に関連してさらに詳しく後述される。例示的図解１００において示された実施形態によれば、プレイリスト１０２は、ユーザライブラリ１０４で見つかった電子コンテンツファイル（例えばオーディオトラック、ビデオファイル等）から作成され得る。ユーザライブラリ１０４及びプレイリスト１０２が３種類の識別情報（すなわち「アーティスト」、「曲」、「他の情報」）を含むことが示されることから、ローカル音楽サービス１０８は多少の識別情報を記憶し得ることが理解される。識別情報は、ユーザライブラリ１０４からのオーディオトラックに関連して記憶されたメタデータであり得る。当例示的実施形態において示されるオーディオトラック情報がメタデータを含み得ると同時に、他の情報はまた、本明細書において論述される各トラック、ライブラリ、またはプレイリストと共に格納され得る。このような情報には、例えばオーディオ録音の長さ、録音の品質、及び／または情報に関する他のデジタル指紋が含まれ得る。
【００１６】
当実施形態において、プレイリスト１０２は、「夏」と題され、５人の異なるアーティスト（すなわち「Ａ、Ｂ、Ｃ、Ｄ、Ｅ」）による６つのトラックの集録である。本明細書において使用されるように、プレイリストは、少なくとも１つの特性を共有する少なくとも１つのメディアファイルを含むグループとして定義され得る。プレイリスト１０２の事例のように、しばしばプレイリストは特定のテーマに関して、またはあるイベントのために作成され得る。例えば、結婚式のプレイリストには、「花嫁入場（Ｈｅｒｅ  Ｃｏｍｅｓ  ｔｈｅ  Ｂｒｉｄｅ）」及び踊るのに好適な音楽が含まれ得る。当例示的構成において、プレイリスト１０２は、「夏季」のテーマに従って作成されたことが示される。プレイリストは、ユーザ、サービス、ソフトウェア、及び／またはこれらの任意の組合せにより作成され得る。従って、いくつかの事例において、プレイリストの作成、データ追加、及び／またはユーザに対する推薦は、自動で行われ得る。例えば、オーディオトラックのユーザライブラリから最も頻繁に再生される２５曲を含むプレイリストが作成され得る。当実施例において、プレイリスト１０２は、ユーザライブラリ１０４からユーザ１０６により作成され得る。別の実施例において、ユーザライブラリ１０４は、ローカル音楽サービス１０８に格納され得る。ローカル音楽サービス１０８は、モバイルデバイス、デスクトップコンピュータ、ノートブックコンピュータ、電子書籍リーダ、タブレットコンピューティングデバイス等が挙げられるがこれに限定されないユーザデバイス上で実行可能な記憶媒体及び制御ソフトウェア（プレイリストの作成、ライブラリの編成、音楽の再生等）を備え得る。ローカル音楽サービス１０８はまた、ユーザライブラリ１０４に配置され、プレイリスト１０２に編成されたオーディオファイルを再生するオーディオプレーヤー１１０を含み得る。
【００１７】
１つの非限定的実施例として、ユーザ１０６は、プレイリスト１０２をローカル音楽サービス１０８からウェブベース音楽サービス１１２に転送または移動することを所望し得る。別の実施例によれば、ユーザ１０６は、ウェブベース音楽サービス１１２を使用して第１インスタンスにプレイリスト１０２を作成することを所望し得る。論述のため、ローカル音楽サービス１０８とウェブベース音楽サービス１１２が異なるエンティティにより開発されたものと仮定すると、ローカル音楽サービス１０８とウェブベース音楽サービス１１２は、異なるプロトコルに従った動作、異なる情報を使用したプレイリストの編成等を行い得る。従って、いくつかの事例において、２つのサービスの直接的な適合性はあり得ない。しかしながら、本明細書において説明される技術によれば、プレイリスト１０２のローカサービス１０８からウェブベースサービス１１２への変換、及び／またはプレイリスト１０２に類似するプレイリストの作成は、適合性ライブラリ１１４を使用するウェブベース音楽サービス１１２により達成可能である。
【００１８】
例えば、ウェブベース音楽サービス１１２は、ローカル音楽サービス１０８を使用して作成されたプレイリスト１０２を分析し、ユーザ１０６がプレイリスト１０２に含めた曲を特定し得る。プレイリスト１０２に含まれるべき具体的な曲を特定した後、ウェブベース音楽サービス１１２は、プレイリスト１０２に含まれる各曲の適合性階層を確立し得る。例示的適合性階層のうち最も適合性の高い曲の実例が、ウェブベース音楽サービス１１２の適合性ライブラリ１１４において示される。さらに詳しく後で論述されるように、プレイリスト１０２内の各曲を分析し、分析結果をウェブベース音楽サービス１１２のプロバイダが保持する曲のライブラリと比較して、曲間の類似点、相違点を特定することにより、適合性は決定され得る。本明細書において説明される実施形態によれば、適合性が決定された後、適合性階層にデータが追加され、プレイリスト１０２は、適合性ライブラリ１１４に対応付けられ、結果プレイリスト１１６としてデータ追加され得る。
【００１９】
例示的図解１００によれば、プレイリスト１０２内の曲と適合性ライブラリ１１４内で見つかった曲との相違点は後述され、結果プレイリスト１１６に示され得る。言い換えると、結果プレイリスト１１６は、プレイリスト１０２に含まれる曲に最も適合し得る適合性ライブラリ１１４の曲を含むプレイリストであり得る。結果プレイリスト１１６内の第１トラック（対応付けウィンドウ１１８に図示される）に着目すると、プレイリスト１０２のトラック番号１は、ウェブベース音楽サービス１１２により配置された曲（適合性ライブラリ１１４のトラック番号１として示される）に完全に適合し得る（すなわちビット単位同一ファイルであり得る）。言い換えると、ウェブベース音楽サービス１１２により、「アーティストＡ」による「曲Ｍ」というタイトルの「９９年のライブ」で実演された音楽ファイル、従ってプレイリスト１０２に含まれる各情報要素を満たす音楽ファイルが配置され得た。当エントリは、結果プレイリスト１１６内のトラック番号１として表示され得る。
【００２０】
しかしながら、ウェブベース音楽サービス１１２は、プレイリスト１０２のトラック２から５に関して、ビット単位同一ファイルを見つけることができなかった。例えば、対応付けウィンドウ１１８において示されるように、プレイリスト１０２のトラック２は、「アーティストＡ」による「曲Ｎ」というタイトルの「９９年のライブ」で録音されたトラックである。本明細書において説明される技術によれば、ウェブベース音楽サービス１１２は、「アーティストＡ」による「曲Ｎ」というタイトルであるが、「９９年にスタジオ」で実演されたトラックを、プレイリスト１０２のトラック番号２に最も適合するトラックとして特定し得る。従って、ウェブベース音楽サービス１１２は、当適合曲をトラック番号２として結果プレイリスト１１６内に含め得る。別の例示的相違点が、結果プレイリスト１１６のトラック３から５に関連して示される。これらの相違点は、結果プレイリスト１１６において太字で示される。例えば、結果プレイリスト１１６内のトラック３は「サニー（Ｓｕｎｎｙ）」スタジオではなく「アクミ（Ａｃｍｅ）」スタジオで製作され得た点を除いて、プレイリスト１０２のトラック３に類似し得る。プレイリスト１０２のトラック６は、「アーティストＥ」による「曲Ｔ」というタイトルの「１３年のライブ」で録音された曲である。示された実施形態によれば、ウェブベース音楽サービス１１２は、結果プレイリスト１１６に追加するための、当トラックに十分適合性のある曲を特定できなかった。従って、適合度閾値を満たすものがなかったため、結果プレイリスト１１６には、プレイリスト１０２のトラック番号６に適合するトラックが含まれ得ない。しかしながら、ウェブベース音楽サービス１１２は、ユーザ１０６に、当曲を「ウィッシュリスト」に含めるという選択肢を提供し得る。本明細書において説明される実施形態によれば、「ウィッシュリスト」は、ユーザが所望する（例えば既存または新規のプレイリストに含めたい）が現在ウェブベース音楽サービス１１２内では入手不可能な曲（または他の電子コンテンツアイテム）を収集し格納するのに使用され得る。ユーザ１０６は、入手不可能なトラックを、ハイパーリンクされたテキストをクリックし、当該テキストを特定の位置にドラッグかつドロップする等して、「ウィッシュリスト」内に配置し得る。
【００２１】
図２は、本明細書において説明されるプレイリスト管理システムを実行する例示的システムまたはアーキテクチャ２００を描く。システム２００において、１人以上のユーザまたは利用者２０２は、コンピューティングデバイス２０４（１）〜（Ｎ）（一括して「ユーザデバイス２０４」）を使用して、メディアコンテンツサーバ２１０上に格納されたプレイリストマネジャー２１２にネットワーク２０８を介してアクセスし得る。
【００２２】
いくつかの実施例において、ネットワーク２０８は、ケーブルネットワーク、インターネット、無線ネットワーク、セルラーネットワーク、他の私設及び／または公衆ネットワーク等の多数の異なる種類のネットワークのうち、任意の１つのネットワークまたはこれらを組合せたネットワークを含み得る。示された実施例により、ネットワーク２０８を介してプレイリストマネジャー２１２にアクセスするユーザ２０２が表されるが、説明される技術は、ユーザ２０２が固定電話を介して、キオスクを介して、またはその他の手法で１つ以上のユーザデバイス２０４を使用してプレイリストマネジャー２１２と対話する事例にも同様に適用され得る。説明される技術は、他のクライアント／サーバ配置（例えばセットトップボックス等）、並びに非クライアント／サーバ配置（例えばローカルに格納されたアプリケーション等）にも適用され得ることも留意されたい。
【００２３】
前記のように、アーキテクチャ２００は、１つ以上のユーザデバイス２０４を含み得る。ユーザデバイス２０４は、携帯電話、スマートフォン、パーソナルデジタルアシスタント（ＰＤＡ）、ラップトップコンピュータ、デスクトップコンピュータ、シンクライアントデバイス、タブレットＰＣ等が挙げられるがこれに限定されない任意の種類のコンピューティングデバイスであり得る。いくつかの実施例において、ユーザデバイス２０４は、ネットワーク２０８を介して、または他のネットワーク接続を介してメディアコンテンツサーバ２１０と通信し得る。
【００２４】
ユーザデバイス２０４は、メモリ２０６内にウェブサービスアプリケーション２０６を含み得る。ウェブサービスアプリケーション２０６により、ユーザ２０２は、プレイリストの作成、変換、インポート、及び／またはエクスポート、及び／またはオーディオファイルのアクセス、再生、購入、及び／または評価といったプレイリストマネジャー２１２との対話が可能になり得る。恐らくサーバのクラスタ内に、またはサーバファームとして配置された１つ以上のメディアコンテンツサーバ２１０は、ウェブサービスアプリケーション２０６を提供し得る。他のサーバアーキテクチャも、ウェブサービスアプリケーション２０６を提供するのに使用され得る。ウェブサービスアプリケーション２０６は、多数のユーザ２０２からの要求を処理し、要求に応じて、プレイリスト管理サービス２１２に関連するインターフェイスが挙げられるがこれに限定されない、ユーザデバイス２０４において表示可能な様々なユーザインターフェイスを提供することが可能であり得る。前に論述されたように、説明された技術は、ウェブサービスアプリケーション２０６の外部でも、例えばユーザデバイス２０４上で作動している他のアプリケーションとでも、同様に実施可能である。
【００２５】
ユーザデバイス２０４のメモリ２１４は、プロセッサ２１６（複数可）上でロード可能であり実行可能であるプログラム命令と、並びにこれらのプログラムを実行中に生成されるデータとを格納し得る。ユーザデバイス２０４の構成と種類により、メモリ２１４は、揮発性（ランダムアクセスメモリ（ＲＡＭ）等）及び／または不揮発性（読出専用メモリ（ＲＯＭ）、フラッシュメモリ等）であり得る。ユーザデバイス２０４はまた、磁気ストレージ、光ディスク、及び／またはテープストレージを含むがこれに限定されない追加のリムーバブルストレージ及び／または固定型ストレージも備え得る。ディスクドライブとその関連コンピュータ可読媒体は、コンピュータ可読命令、データ構造、プログラムモジュール、及びコンピューティングデバイスのための他のデータの不揮発性ストレージを提供し得る。いくつかの実装例において、メモリ２１４には、静的ランダムアクセスメモリ（ＳＲＡＭ）、動的ランダムアクセスメモリ（ＤＲＡＭ）、またはＲＯＭ等の複数の異なる種類のメモリが含まれ得る。
【００２６】
前記のように、プレイリストマネジャー２１２は、メディアコンテンツサーバ２１０のうちの１つ以上に備えられ得る。１つの例示的実施形態によれば、プレイリストマネジャー２１２は、メモリ２１８と、プロセッサ２２０（複数可）と、入出力デバイス２２２（複数可）と、ストレージ２２４とを備え得る。メモリ２１８は、プログラム命令を１つ以上のソフトウェアモジュールの形態で格納し、またオペレーティングシステム２２６も格納し得る。これらのモジュールは、プロセッサ２２０（複数可）上でロード可能であり実行可能であり、個別のタスクを実行し、プレイリストマネジャー２１２の目的を果たすためのプログラム命令を含み得る。プレイリストマネジャー２１２の一部として示されるモジュールは実施例であり、他のタスク及び／または後述のタスクと同様のタスクを実行する他の構成は、本明細書において説明される技術に従って実施され得る。オペレーティングシステム２２６には、プレイリストマネジャー２１２のハードウェアシステムを制御する任意の好適なオペレーティングシステムが含まれ得る。アーキテクチャ２００によれば、メモリ２１８は、プレイリスト制御モジュール２２８と統合プレーヤーモジュール２３０とを含み得る。他のモジュール（図示せず）は、プレイリスト制御モジュール２２８と統合プレーヤーモジュール２３０と同一のタスク、または他のタスクを実行し、そして類似した様式で、または他の構成に従って実施され得る。
【００２７】
プロセッサ２２０（複数可）は、オペレーティングシステム２２６と、プレイリスト制御モジュール２２８と、統合プレーヤーモジュール２３０とからの命令を実行するように構成され得る。メディアコンテンツサーバ２１０の構成により、メモリ２１８は、揮発性（ランダムアクセスメモリ（ＲＡＭ）等）及び／または不揮発性（読出専用メモリ（ＲＯＭ）、フラッシュメモリ等）であり得る。メディアコンテンツサーバ２１０はまた、磁気ストレージ、光ディスク、及び／またはテープストレージを含むがこれに限定されない追加のリムーバブルストレージ及び／または固定型ストレージも備え得る。ディスクドライブとその関連コンピュータ可読媒体は、コンピュータ可読命令、データ構造、プログラムモジュール、及びコンピューティングデバイスのための他のデータの不揮発性ストレージを提供し得る。いくつかの実装例において、メモリ２１８には、静的ランダムアクセスメモリ（ＳＲＡＭ）、動的ランダムアクセスメモリ（ＤＲＡＭ）、またはＲＯＭ等の複数の異なる種類のメモリが含まれ得る。
【００２８】
プレイリストマネジャー２１２の一部として含まれるＩ／Ｏデバイス２２２（複数可）には、メディアコンテンツサーバ２１０のオペレータまたはコントローラによるプレイリストマネジャー２１２との対話を簡易にする任意の入出力デバイスが含まれ得る。ストレージ２２４は、メディアファイルを編成するためのデータベース及び／または任意の他のデータ構造を備え得る。ストレージ２２４には、揮発性（ランダムアクセスメモリ（ＲＡＭ）等）及び／または不揮発性（読出専用メモリ（ＲＯＭ）、フラッシュメモリ等）であり得るストレージが含まれ得る。プレイリストマネジャー２１２はまた、磁気ストレージ、光ディスク、及び／またはテープストレージを含むがこれに限定されない追加のリムーバブルストレージ及び／または固定型ストレージも備え得る。いくつかの実施形態によれば、ストレージ２２４は、例えばオーディオファイル、オーディオブックファイル、ビデオファイル、及び／または画像ファイルを含む電子コンテンツアイテムのデータベースを格納するように構成され得る。このようなデータベースは、電子コンテンツアイテムのライブラリと称され、本明細書において説明されるいくつかの技術に従って、プレイリストマネジャー２１２、メディアコンテンツサーバ２１０、及び／またはユーザ２０２によりネットワーク２０８を介してアクセス可能であり得る。
【００２９】
プレイリストマネジャー２１２のメモリ２１８と同様に、ユーザデバイス２０４のメモリ２１４は、クライアントプレイリスト制御モジュール２３２とクライアント統合プレーヤーモジュール２３４とを格納し得る。これらの２つのモジュール２３２、２３４の動作は、図３と７に関連してさらに詳しく後で論述されるように、プレイリストマネジャーのモジュール２２８、２３０の動作と類似し得る。従って、少なくとも１つの実施形態によれば、後述されるプレイリストマネジャー２１２の操作性は、ユーザデバイス２０４上に実装され得る。
【００３０】
いくつかの実施例において、メディアコンテンツサーバ２１０の管理者、経営者、または所有者は、他のメディアコンテンツサービス（例えば、ウェブベースストリーミングサービス、ソフトウェアベースオンラインデジタルメディアストア、デジタルサービスを提供する音楽ベンダー等）により提供される追加メディアコンテンツに対するアクセス権をユーザ１０２に与えるために、他のメディアコンテンツサービスと契約及び／または使用権を取り決め得る。このような追加メディアコンテンツに対するアクセス権は、いくつかの事例において、プレイリストマネジャー２１２により提供されるサービスの一環として、またはメディアコンテンツサーバ２１０により提供される追加サービスの一環として提供され得る。このような実施例において、メディアコンテンツサーバ２１０の所有者は、メディアコンテンツに対するその使用権が他のメディアコンテンツサービスに依存するため、間接使用権者と特定され得る。別の実施例において、メディアコンテンツサーバ２１０の所有者は、レコーディングスタジオ、実演者、演奏権協会（ＰＲＯ）（例えば、米国作曲家作詞家出版者協会（ＡＳＣＡＰ）、ブロードキャストミュージック社（ＢＭＩ）、欧州舞台作詞家作曲家協会（ＳＥＳＡＣ）等）、及び／または他の著作権者もしくは使用権者と、直接使用権を取り決め得る。このような実施例において、メディアコンテンツサーバ２１０の所有者は、直接使用権者と特定され得る。従って、いくつかの実施例において、メディアコンテンツサーバ２１０の所有者は、他のメディアコンテンツサービスがスタジオ、実演者、またはＰＲＯと取り決めた間接使用権の下、メディアコンテンツを提供する権利を有し得る。間接使用権の下でメディアコンテンツサーバ２１０を介してメディアを提供することに少なくとも一部基づいた実施形態によれば、メディアコンテンツサーバ２０１は、ユーザ２０２がアクセスしているメディアコンテンツは何であるか、かつそのメディアは直接使用権下のメディアであるか、または間接使用権下のメディアであるかを記録し得る。このような記録は、いくつかの実施例において、他のメディアコンテンツサービスに対する報酬、及び／またはユーザ２０２のアクセスに関連する請求額を計算するのに使用され得る。
【００３１】
図３は、プレイリスト制御モジュール２２８を実行する例示的アーキテクチャ３００を示す。前に論述されたように、プレイリスト制御モジュール２２８は、複数のサービスを制御するように構成され得る。プレイリスト制御モジュール２２８は、ソフトウェア、ハードウェア、及び／またはファームウェア上に実装され得る。プレイリスト制御モジュール２２８は、少なくとも形成／編集サービス３０２と、適合性サービス３０４と、生成サービス３０６と、推薦サービス３０８と、インポート／エクスポートサービス３１０と、オーディオプレーヤーサービス３１６とを備え得る。
【００３２】
ユーザまたは利用者２０２が新規及び既存のプレイリストを作成及び／または編集できるように、形成／編集サービス３０２は実行され得る。形成／編集サービス３０２を使用してプレイリストを形成することには、例えば、少なくとも１つのメディアファイル（例えばオーディオ、ビデオ、画像等）を複数の既知メディアファイルから選択すること、少なくとも１つのメディアファイルを複数の推薦メディアファイルから選択すること、少なくとも１つのメディアファイルを複数の以前に購入したメディアファイルから選択すること、少なくとも１つのメディアファイルを複数の購入対象メディアファイルから選択すること、及び／または少なくとも１つのメディアファイルを以前に作成したプレイリストから選択することが含まれ得る。プレイリストを編集することには、例えば、少なくとも１つのメディアファイルを既存のプレイリストに追加すること、少なくとも１つのメディアファイルを既存のプレイリストから削除すること、プレイリストに含まれる、もしくは含まれない少なくとも１つのメディアファイルに対応付けられたメタデータを編集すること、重複するメディアファイルを特定すること、及び／または重複するメディアファイルを削除することが含まれ得る。形成／編集サービス３０２によりまた、ユーザ２０２は、当技術における適正な熟練の知識に従って、メディアファイルに対する他の編集及び／または操作を行うことが可能になり得る。
【００３３】
いくつかの実施形態によれば、形成／編集サービス３０２は、ユーザ２０２がプレイリストに追加する各メディアファイルの一意的識別子を記録し得る。当識別子は、各メディアファイルに対応付けられ、プレイリストストレージ３１２に格納され得る。
【００３４】
図３に示される形成／編集サービス３０２を含むプレイリスト制御モジュール２２８は、プレイリストストレージ３１２にアクセス可能であり得る。プレイリストストレージ３１２には、例えば、揮発性（ランダムアクセスメモリ（ＲＡＭ）等）及び／または不揮発性（読出専用メモリ（ＲＯＭ）、フラッシュメモリ等）を含む記憶媒体のうちの任意の形態が含まれ得る。形成／編集サービス３０２は、プレイリストストレージ３１２にアクセスし、前に論述されたようにユーザ２０２が作成した新規プレイリストを保存し得る。形成／編集サービス３０２はまた、プレイリストストレージ３１２にアクセスし、プレイリスト、プレイリストのタイトル、プレイリストに対応付けられた非メタデータ情報、及び／またはプレイリストに含まれるメディアファイルに対応付けられたメタデータに対する任意の編集、並び替え、変動、及び／または変化を保存し得る。前に論述されたように、プレイリストの形成及びプレイリストの編集は、ユーザデバイス２０４を介してプレイリストマネジャー２１２を使用してユーザ２０２により、またはユーザデバイス２０４上で実行可能なプレイリスト制御モジュール２２８と同様のソフトウェアにより行われ得る。言い換えると、プレイリストマネジャー２１２は、メディアコンテンツサーバ２１０上で、またはユーザデバイス２０４上で、またはその他の好適な構成に従って、実行され得る。
【００３５】
プレイリスト制御モジュール２２８は、適合性サービス３０４も含み得る。適合性サービス３０４は、適合性階層ストレージ３１４にデータを追加するように構成され得る。形成／編集サービス３０２またはインポート／エクスポートサービス３１０（さらに詳しく後で論述される）を使用するユーザ２０２は、メディアコンテンツサーバ２１０またはユーザデバイス２０４上でデータ追加され再生されるプレイリストを作成及び／またはインポートし得る。適合性サービス３０４は、特定のプレイリストに含めるためにユーザ２０２が選択したメディアファイルごとに、適合メディアファイル群またはセットを適合性階層ストレージ３１４に追加し格納し得る。いくつかの実施形態によれば、適合性サービス３０４は、メディアコンテンツサーバ２１０上のストレージ２２４、またはプレイリスト制御モジュール２２８とネットワーク通信する別の場所に格納されたメディアファイルセットに対して、ユーザ２０２が選択した（例えばプレイリストを集成するため）第１メディアファイルの適合性または関連性を決定し得る。適合性サービス３０４は、前に論述された一意的識別子を使用して、特定のプレイリストに含めるためにユーザ２０２が選択した第１メディアファイルのインスタンスを対応付け得る。
【００３６】
いくつかの実施形態によれば、適合性サービス３０４は、適合性レベルに関して適合性階層を編成し得る。いくつかの実施例において、適合性階層は、複数の適合性レベルを含み得る。さらなる実施形態において、適合性サービス３０４により、ユーザ２０２が選択した第１メディアファイルに関して、そしてユーザ２０２が選択した後続のメディアファイルに関して、適合性階層が作成され得る。言い換えると、適合性サービス３０４は、ユーザ２０２が選択した各メディアファイルに関して、複数の適合性または関連性のレベルを含み得る適合性階層を作成し得る。１つの実施例において、階層は、降順の適合性で編成され得る。従って、少なくとも１つの実施例によれば、適合性サービス３０４により特定された最も適合性の高いメディアファイルが第１位置に配置され、そしてより適合性の低いメディアファイルがその後の位置を占め得る。
【００３７】
別の例示的実施形態において、適合性階層は、適合性測定の順位リストを備え得る。当実施形態によれば、適合性測定には、ユーザ２０２のプレイリストに含めるためにユーザ２０２が選択したメディアファイルに対する異なる一致度（例えば完全一致、複製アイテム一致、代替同一アイテム一致、代替異質アイテム一致、異質実演アイテム一致、及び／または変形アイテム一致）が含まれ得る。
【００３８】
少なくとも１つの実施形態によれば、適合性サービス３０４は、ユーザが選択したメディアファイルの識別（例えば曲）を特定し、次に適合性レベルを決定し得る。識別を特定するために、適合性サービス３０４は、ユーザ２０２により提供される曲のタイトルまたは編曲に注目し得る。別の実施形態によれば、適合性サービス３０４は、プレイリストに含めるためにユーザ２０２が選択した曲に対応付けられたメタデータを分析し得る。このような分析は、例えば、各曲のタイトル、アーティスト、アルバム、年、コメント、トラック番号、ジャンル、速度、開始時間、及び／または終了時間に関する情報を示し得る。適合性サービス３０４が曲を特定するには、当情報で足り得る。その後、適合性サービス３０４は、適合性階層に含めるための適合曲、または関連曲をメディアコンテンツサーバ２１０内で探し始め得る。
【００３９】
しかしながら、別の条件下で、メタデータは、適合性サービス３０４によりアクセス不可能であり得る、及び／または適合性サービス３０４が曲の識別を特定するには壊れた、欠損した、及び／または不十分な状態であり得る。このような事例において、適合性サービス３０４は、別の技術を使用して曲を識別しようと試み得る。例えば、適合性サービス３０４は、曲のオーディオ指紋を、メディアコンテンツサーバ２１０に対応付けられたデータベースに格納された他の曲のオーディオ指紋と比較するアルゴリズムを使用し得る。別の実施形態において、適合性サービス３０４は、曲がメディアコンテンツサーバ２１０上に格納された曲とビット単位で同一の曲であるか否かを判定するために、曲をハッシュし得る。別の実施形態において、適合性階層は、前に論述された識別ステップより前に作成され得た。
【００４０】
さらに別の実施例において、適合性サービス３０４は、曲の識別及び他の曲との適合性を決定するために、曲に対する少なくとも１種類のフーリエ変換を行い得る。別の事例において、適合性サービス３０４は、意図した結果を達成するために、複数種類の変換を行い得る。このような変換技術を使用することにより、いくつかの実施形態によれば、適合性サービス３０４は、周辺の雑音情報を取り除き、複数の曲の間の最小差異を特定することが可能になり得る。例えば、このような変換は、適合性の最高レベルのうちの１つのレベルの曲（例えば少しだけ変化した同一曲の複製）を分析し、曲の関連性を決定するのに最適であり得る。本明細書において説明される別の実施形態によれば、適合性サービス３０４は、ラビンチャンキング形式を使用して、複数の曲の間の類似度を決定し得る。別の実施形態によれば、適合性サービス３０４は、適合性を決定することを可能にし得る歌詞のデータベースにアクセス可能であり得る。当実施形態及び別の同様の実施形態によれば、適合性サービス３０４は、編集距離アルゴリズムを使用して、歌詞間のスペル、書式設定、及び／または他のマイナーな差異を検出し、かつメタデータにおけるマイナーな差異を検出し得る。編集距離アルゴリズムは、複数の閾値と対応付けられ、これらの閾値を下回る、または上回ると、曲は適合する、もしくは少なくとも適合レベルに入ると判断され得る。
【００４１】
プレイリストに含めるためにユーザ２０２が選択した曲を、適合性サービス３０４が１度特定すると、適合性サービス３０４は、メディアコンテンツサーバ２１０上に格納された曲に対する当曲の適合性を決定し得る。さらに、適合性階層は、ユーザ２０２が新規プレイリストの作成または既存のプレイリストの移動を要求する前に、作成され得た。このような構成は、プレイリスト制御モジュール２２８によりアクセス可能なメディアファイルの関連性の決定に関するより早い応答を可能にするのに好適であり得る。前に簡単に論述されたように、適合性決定の結果は、適合性階層ストレージ３１４に格納され、適合性レベルに分割され得る。少なくとも１つの実施形態によれば、第１適合性レベルには、ユーザ２０２の曲にビット単位で同一であると判定された曲が含まれ得る。別の実施例において、第２適合性レベルには、複製工程により少しだけ変化した同一コンテンツの複製であると思われる曲が含まれ得る。さらに別の実施例において、第３適合性レベルには、同一条件下での同一実演者による同一コンテンツの代替実演の曲が含まれ得る。なお別の実施例において、第４適合性レベルには、異なる条件下（例えばライブ実演に対しスタジオ実演）での同一実演者による同一コンテンツの代替実演の曲が含まれ得る。別の実施例において、第５適合性レベルには、異なる実演者による同一コンテンツの異なる実演の曲（例えば同一の歌詞で異なるアーティストにより実演された曲）が含まれ得る。さらに別の実施例において、第６適合性レベルには、変化したコンテンツの曲が含まれ得る（例えば代替編曲）。
【００４２】
前に提示された各実施例において、各レベル、いくつかのレベル、及び／または全てのレベルは、少なくとも１曲及び／または複数曲を有し得る、及び／または１曲も有し得ない。さらに、いくつかの実施形態において、適合性サービス３０４が、曲をユーザ２０２のプレイリストからのユーザ２０２の曲に「適合する」と指定する際、容認する最小及び／または最大許容変化量を、ユーザ２０２は指定し得る。別の実施例において、ユーザ２０２は、ユーザデバイス２０４を介して所望する適合度閾値を指定することで、指定した閾値に達さない、及び／または少しの一致度も有さない曲は、自動で除外されるようにし得る。ユーザ２０２はまた、ある実演場所、アーティスト、ジャンル等に対する選好を指定し得る。例えば、ユーザは「ライブ」及び「スタジオ」録音のどちらかを指定可能であり、ユーザ２０２は「スタジオ」録音を選好する。このような選好が他のものと一緒に適合性サービス３０４に提供されることで、適合性決定の精度は上がり、生成されたプレイリスト（後の論述参照）はユーザ２０２の好みに適合され得る。
【００４３】
さらに別の実施例において、プレイリスト制御モジュール２２８はユーザ２０２に、適合性サービス３０４により追加された適合可能曲のリストを提示し得る。このような提示の後、ユーザ２０２は、ユーザ２０２が適合すると思われる曲、またはユーザ２０２が不適合または適合性が低いと思われる曲を指定する（例えば、「承認」もしくは「却下」をクリックする、または「適合」として保持する曲を選択する）ことで、適合可能曲と対話し得る。これらの指定は、プレイリスト制御モジュール２２８または他のデバイスにより記録され、そして適合性決定の精度を上げるため、とりわけ適合性サービス３０４により使用され得る。これらのユーザ選好は、他のユーザプロファイルデータ（例えばユーザ層特性データ、サービスアクセス資格情報等）と一緒に、プレイリストマネジャー２１２、メディアコンテンツサーバ２１０の一部として、及び／またはプレイリスト制御モジュール２２８によりアクセス可能な他の関連ストレージ領域に格納され得る。
【００４４】
次に図３に示される例示的アーキテクチャ３００の生成サービス３０６に着目する。生成サービス３０６は、プレイリストストレージ３１２と適合性階層ストレージ３１４にアクセス可能であり得る。本明細書において開示される実施形態によれば、生成サービス３０６は、ユーザ２０２が所望するプレイリストと適合性階層を使用して、メディアコンテンツサーバ２１０から入手可能な最も近い一致を含む新規プレイリストを生成し得る。前に論述されたように、生成サービス３０６は、新規プレイリストを作成しユーザ２０２に提示する時、ユーザ選好も使用し得る。
【００４５】
別の実施形態によれば、生成サービス３０６は、一致がなかった場合でも、ユーザ２０２がプレイリストに含めたい曲を保持し得る。このような曲を保持することにより、いくつかの実施形態によれば、いつか一致が見つかる可能性が考慮され得る。このような将来的一致は、購入また使用のために、曲を「ウィッシュリスト」に含める等、推薦サービス３０８によりユーザ２０２に推薦され得る。別の実施形態によれば、生成サービス３０６が生成したプレイリストに含まれる曲は、元のメディア識別を保持し得る。
【００４６】
アーキテクチャ３００の推薦サービス３０８は、いくつかの実施形態によれば、プレイリストを集成するために曲を選択する機会をユーザ２０２に提示し得る。例えば、１つの実施形態によれば、推薦サービス３０８は、ユーザ２０２に様々な推薦曲を提供し得る。これらの曲は、いくつかの実施形態によれば、適合性サービス３０４により処理され、及び／または適合性階層ストレージ３１４内に配置され得た。従って、いくつかの実施形態において、ユーザ２０２には、適合性により（例えば適合性レベルセット内で）整理された推薦曲が提示され得る。別の実施形態において、推薦曲は、ユーザデバイス２０４上のローカルストレージ、ユーザ２０２に対応付けられたウェブベースストレージ、及び／またはユーザ２０２がアクセス可能なその他のサービスまたはデータベースに配置され得る。いくつかの実施形態において、プレイリスト制御モジュール２２８は、推薦サービス２０８が推薦する曲と、統合プレーヤーモジュール２３０に関連して説明される方法及び技術を使用して複数の場所に配置された他の曲とを再生可能であり得る。別の実施形態において、プレイリストマネジャー２１２は、別の格納場所及び／またはサービスに対するアクセス要求を、ユーザ２０２に通信することで、または直接別の格納場所及び／またはサービスに通信することで、実行し得る。
【００４７】
さらに別の実施形態において、推薦サービス３０８はユーザ２０２に、メディアコンテンツサービス２１０の所有者が所有する曲のデータベースから一致（すなわちあるレベルの適合性）が特定され得た曲を購入する機会を提示し得る。別の実施形態において、推薦サービス３０８はユーザ２０２に、ユーザ２０２のプレイリスト（複数可）及び／または生成サービス３０６が生成したプレイリストに含まれる曲に類似する曲、またはそれらの曲の補完的な曲を購入するように推薦し得る。ユーザ２０２が今は曲を購入しないことを選んだ場合、推薦サービス３０８はユーザ２０２に、「ウィッシュリスト」に曲を配置する、または後で購入する機会を提供し得る。別の実施形態によれば、ユーザ２０２は、他のユーザがユーザ２０２のために推薦曲を購入できるように、ウィッシュリスト情報を誰と共有するかを指定し得る。推薦サービス３０８はまた、いくつかの実施形態によれば、ユーザ２０２に、自分のプレイリストに含まれる曲及び／または自分のプレイリストにない曲に対し、批評、評価、及び／またはコメントする機会を提供し得る。ユーザ２０２により他の情報と一緒に提供され、ユーザ２０２とメディアコンテンツサービス２１０との対話から収集された当情報は、プレイリストマネジャー２１２のサービスを他のユーザ及びユーザ２０２に適合させるのに使用され得る。
【００４８】
本明細書において説明される実施形態によれば、プレイリスト制御モジュール２２８は、インポート／エクスポートサービス３１０も備え得る。インポート／エクスポートサービス３１０は、プレイリスト制御モジュール２２８により使用され、ユーザ２０２が既存のプレイリストを別のサービス及び／または別の格納場所からインポートすることを可能にし得る。別の実施形態によれば、インポート／エクスポートサービス３１０は、インポートされたプレイリストを、プレイリスト制御モジュール２２８が認識可能なフォーマットに変換するのに使用され得る。このような変換により、別の実施形態によれば、プレイリスト制御モジュール２２８がインポートされたプレイリストに対し前述のような動作を行うことが可能になり得る。インポート／エクスポートサービス３１０はまた、生成サービス３０６が生成したプレイリスト、インポート／エクスポートサービス３１０がインポートしたプレイリスト、及び／またはプレイリストマネジャー２１２もしくはプレイリストマネジャー２１２内で利用可能な動作を使用するユーザ２０２により自動で作成されたプレイリストを、ユーザ２０２がエクスポートすることを可能にし得る。本明細書において説明される実施形態によれば、ユーザ２０２は、インポート／エクスポートサービス３１０によりエクスポートされたプレイリストを、友達、家族、他のユーザに対し自由に共有または貸すことが可能であり得る。別の実施形態において、プレイリストマネジャー２１２は、プレイリストのエクスポートを制限し得る。
【００４９】
本明細書において説明される実施形態によれば、プレイリスト制御モジュール２２８は、オーディオプレーヤーサービス３１６も備え得る。オーディオプレーヤーサービス３１６は、例えば、停止、再生、一時停止、前方スキャン、後方スキャン、前方スキップ、後方スキップ、連続再生、ランダム再生、自動音量調整等、一般のオーディオ再生機能に対応し得る。オーディオプレーヤーサービス３１６は、いくつかの実施形態によれば、ネットワーク２０８を介してユーザデバイス２０４上のブラウザウィンドウ内で操作可能であり得る。別の実施形態によれば、プレイリストマネジャー２１２の配置場所により（すなわち、メディアコンテンツサーバ２１０上に格納されている、ユーザデバイス２０４上に格納されている、その２つまたは別の場所に分散されている）、オーディオプレーヤーサービス３１６は、ソフトウェア、ソフトウェアベースのアプリケーション、ファームウェア等に含まれ得る。
【００５０】
図４〜６は、複数のサービスにまたがってメディアコンテンツを管理するためのそれぞれの工程４００〜６００を表す例示的フロー図を示す。これらの工程は論理的フロー図として例示され、各動作は、ハードウェア、コンピュータ命令、またはそれらの組合せにおいて実行可能である一連の動作を表す。コンピュータ命令のコンテキストにおいて、動作は、１つ以上のコンピュータ可読記憶媒体上に記憶され、１つ以上のプロセッサにより実行されると列挙された動作を実行するコンピュータ実行可能命令を表す。一般に、コンピュータ実行可能命令には、特定の機能を実行する、または特定のデータ種類を実施するルーチン、プログラム、オブジェクト、コンポーネント、データ構造等が含まれる。動作が説明される順序は、限定として解釈される意図はなく、そして任意の数の説明動作は、工程を実行するために、任意の順序及び／また並列に組わせることが可能である。
【００５１】
さらに、一部、任意、または全ての工程は、実行可能命令で構成された１つ以上のコンピュータシステムの制御の下で実行され、かつハードウェアまたはそれらの組合せにより１つ以上のプロセッサ上で集団的に実行されるコード（例えば実行可能命令、１つ以上のコンピュータプログラム、または１つ以上のアプリケーション）として実施され得る。前記のように、コードは、例えば１つ以上のプロセッサにより実行可能な複数の命令を含むコンピュータプログラムの形態で、コンピュータ可読記憶媒体に記憶され得る。コンピュータ可読記憶媒体は、非一時的であり得る。
【００５２】
図４は、複数のサービスにまたがってメディアコンテンツを管理する工程４００を示す例示的フロー図を描く。図２に示されるメディアコンテンツサーバ２１０が、図４の工程４００を実行し得る。工程４００は、４０２において音楽トラックの第１ライブラリを特定することから始まる。４０２において説明される工程４００によれば、音楽トラックは、音楽サービスに対応付けられている可能性がある。音楽サービスは、いくつかの実施例において、音楽トラックの第１ライブラリからプレイリストを生成することが可能であり、そしていくつかの実施例において、音楽トラックはメタデータを含み得る。４０４において、工程４００は、メディアコンテンツサーバ２１０により、またはメディアコンテンツサーバ２１０を含む１つ以上のコンピュータにより、ステップ４０２の１つ以上の音楽トラックを含むプレイリストを受信し得る。４０６において、工程４００は、音楽トラックの第２ライブラリ内を検索し得る。例えば、工程４００は、第２ライブラリ内を検索して、ステップ４０４において受信したプレイリストからの少なくとも１つのトラックを特定し得る。前に論述されたように、当特定は、適合性階層に少なくとも一部基づき得る。適合性階層には、例えば、ステップ４０２において特定された１つ以上のトラックの対応メタデータと、音楽トラックの第２ライブラリからのそれぞれのトラックの対応メタデータとに少なくとも一部基づき得る複数の適合性レベルが含まれ得る。４０８において、工程４００は、４０２において第１音楽サービスが生成したプレイリストを、音楽トラックの第２ライブラリのそれぞれのトラックで再生可能となるように、４０６において特定した一致トラック（複数可）をプレイリスト（複数可）に追加し得る。４１０において、工程４００は、第２音楽サービスがプレイリストを使用して音楽トラックの第２ライブラリのそれぞれのトラックを再生することを可能にし得る。
【００５３】
図５は、複数のサービスにまたがってメディアコンテンツを管理する工程５００を示す例示的フロー図を描く。図２に示されるメディアコンテンツサーバ２１０が、図５の工程５００を実行し得る。工程５００は、５０２において電子コンテンツアイテムを特定するリスト（複数可）を受信することから始まる。１つの実施例において、工程５００は、電子コンテンツアイテム（複数可）を特定し、そして少なくとも１つのアイテムは、第１サービスプロバイダに対応付けられている可能性がある。５０４において、工程５００は、５０２において特定された電子コンテンツアイテム（複数可）に対応し得る第２サービスプロバイダに対応付けられた一致アイテムを特定し得る。１つの実施例において、当特定は、適合性階層に少なくとも一部基づき得る。５０６において、工程５００は、５０２において受信されたアイテムの代わりに一致アイテムに対しアクション（例えば再生）を実行するように第２サービスプロバイダに命令を与え得る。
【００５４】
図６は、複数のサービスにまたがってメディアコンテンツを管理する工程６００を示す例示的フロー図を描く。図２に示されるメディアコンテンツサーバ２１０が、図６の工程６００を実行し得る。工程６００は、６０２において第１サービスプロバイダに対応する関連メタデータにより電子オーディオファイル（複数可）を特定することから始まる。６０４において、工程６００は、第２サービスプロバイダの適合オーディオファイル（複数可）にアクセスする要求を受信し得る。６０６において、工程６００は、電子オーディオファイル（複数可）に関連する情報に少なくとも一部基づいて、６０４の適合オーディオファイル（複数可）を特定し得る。いくつかの実施形態において、６０６における適合メディアファイルの特定は、適合性階層を使用し得る。適合性階層は、いくつかの実施例において、完全一致（複数可）、完全一致（複数可）が見つからない場合は複製一致（複数可）、複製一致（複数可）が見つからない場合は代替一致（複数可）、代替一致（複数可）が見つからない場合は異質一致（複数可）、及び／または異質一致（複数可）が見つからない場合は変形一致（複数可）を求めて、第２サービスのファイル内を検索し得る。
【００５５】
図７は、アーキテクチャ２００の統合プレーヤーモジュール２３０を実行する例示的システムまたはアーキテクチャ７００を描く。本開示の実施形態によれば、統合プレーヤーモジュール２３０は、実際の曲が複数の場所に保存または格納され得る、及び／または複数のソースから許可され得る曲のリストすなわちプレイリストを再生するために作動し得る。１つの非限定的実施例において、ユーザ２０２は、ユーザデバイス２０４上に配置された曲のライブラリからプレイリストを作成し得る。ユーザデバイス２０４上にプレイリストを格納するシステムは、いくつかの事例において、プレイリストに含まれるオーディオファイルの場所を見つけるためにファイルパスディレクトリを使用するため、このようなプレイリストはユーザデバイス２０４に特化され得る。オーディオファイルが異なる場所に移動される場合（すなわち異なるファイルパスディレクトリにおいて見つかる場合）、プレイリストはユーザデバイス２０４上で再生不可能となり得る。しかしながらいくつかの事例において、前に論述されたように、ユーザ２０２は、全てまたは一部のプレイリストを１つのサービスから別のサービスへインポートすることを所望し得る。本明細書において開示される実施形態によれば、このような移動は、図３に関連して説明されたインポート／エクスポートサービス３１０を使用して達成され得る。別の事例において、ユーザ２０２は、複数のサービスから音楽を購入し得た。従って、ユーザ２０２の音楽は全て１つの場所に、または１つのサービス内に格納され得ない。
【００５６】
図７の詳細に着目すると、統合メディアプレーヤー２３０は、ユーザ２０２のメディアファイルが格納され得る複数の場所と共に例示される。当例示的アーキテクチャ７００において、統合メディアプレーヤー２３０は、ネットワーク７１０（複数可）を介して、ローカルストレージ７０２、ウェブベースストレージ７０４、及びウェブベース音楽サービス７０６と接続を共有する。ストレージ２２４もプレイリストマネジャー２１２の一部として含まれ、従って、統合プレーヤーモジュール２３０と接続を共有する。アーキテクチャ７００は、前に列挙された格納場所にネットワーク７１０を介して接続された統合メディアプレーヤー２３０を備えることが図７において示されるが、物理的またはウェブベースの格納場所は多少、本明細書において説明される実施形態及び技術を使用して実行され得ることが理解される。図７において例示される格納場所及びサービスはそれぞれ、統合メディアプレーヤー２３０と、ネットワーク７１０を介して、または統合メディアプレーヤー２０３及び／または他の格納場所及び音楽サービスの間の接続性を提供するその他の方法により、接続され得る。いくつかの実施例において、ネットワーク７１０は、ケーブルネットワーク、インターネット、無線ネットワーク、セルラーネットワーク、他の私設及び／または公衆ネットワーク等の多数の異なる種類のネットワークのうち、任意の１つのネットワークまたはこれらを組合せたネットワークを含み得る。前に論述されたように、統合プレーヤーモジュール２３０は、複数のサービスを制御するように構成され得る。図２に関連してさらに詳しく論述されたように、統合プレーヤーモジュール２３０は、ソフトウェア、ハードウェア、ファームウェア等に実装され得る。
【００５７】
まずストレージ２２４に着目すると、プレイリストマネジャー２１２のストレージ２２４は、図２に関連して例示及び論述されたように、統合メディアプレーヤー２３０と接続を共有していることが描かれる。ストレージ２２４は、適合性階層のデータ追加に使用されるオーディオファイルを含み、メディアコンテンツサーバ２１０を介して統合メディアプレーヤー２３０によりアクセス可能であり得る。
【００５８】
統合メディアプレーヤー２３０は、ネットワーク７１０を介してローカルストレージ７０２にアクセス可能であり得る。いくつかの実施例において、ローカルストレージ７０２は、ユーザデバイス２０４上に格納されたオーディオファイルを含み得る。統合メディアプレーヤー２３０は、ネットワーク７１０（複数可）を介してユーザ２０２のウェブベースストレージ７０４にもアクセス可能であり得る。いくつかの実施例によれば、ウェブベースストレージ２０４には、「クラウドドライブ」、リモート接続ドライブ、ユーザデバイス２０４に物理的に接続されていない共有ドライブ、及び／またはユーザデバイス２０４のローカルではなく、またメディアコンテンツを供給する第３者により提供されていないその他の格納場所が含まれ得る。一方、ウェブベース音楽サービス７０６は、音楽または他のメディアコンテンツを供給する第３者により提供され得る。本明細書において開示される実施形態によれば、ウェブベース音楽サービス７０６は、ユーザ２０２がネットワーク接続を介して音楽を検索、格納、操作、及び／または再生できる機能を備え得る。いくつかの事例においては、ユーザ２０２は、ウェブベース音楽サービス７０６から購入した音楽を、ウェブベース音楽サービス７０６からストリーミングし得る。別の事例において、ユーザ２０２は、対価約定の一環として、ウェブベース音楽サービス７０６により提供される音楽をストリーミングする権利を有し得る。厳密には、ユーザ２０２は、ストリーミングサービスに対する金額を支払ったため、メディアコンテンツをストリーミングする権利を有し得る。別の約定においては、ユーザ２０２は、時々割り込むコマーシャルも傾聴するという条件で、メディアコンテンツをストリーミングする権利を有し得る。前に論述された格納場所（及び音楽サービス）それぞれにおいて、ユーザ２０２は、自分の音楽をどのように再生するかを管理及び／または編成し、これにはプレイリストを構築し操作することが含まれ得る。
【００５９】
図７は、プレイリスト７０８も含む。当実施例によれば、プレイリスト７０８は「サッカー」と題され、ユーザ２０２がスポーツのサッカーと対応付けたオーディオトラックを含み得る。本明細書において開示される実施形態によれば、プレイリスト７０８は、プレイリストマネジャー２１２を使用して作成され得る。当実施例において、プレイリスト７０８は、＃（番号）、トラック、及び格納場所により編制され得る。表示を容易にするために、「トラック」名は省略され、格納場所が丸括弧内に示される。図７に描かれた実施形態によれば、トラック１はローカルストレージ７０２に格納され、トラック２はウェブベースストレージ７０４に格納され、トラック３はウェブベース音楽サービス７０６に接続的に配置され、そしてトラック４はストレージ２２４に格納され得る。
【００６０】
プレイリスト７０８の各トラックは、多数の独自のフォーマットのうちの少なくとも１つのフォーマットに従って符号化され得た（すなわち「ソース符号化」）。当ソース符号化は、ユーザがそれぞれのトラックを管理し、及び／またはプレイリスト７０８を作成するために使用したサービスまたはアプリケーションにより実行され得た。例えば、プレイリスト７０８の各トラックに対応付けられた異なる格納場所及び／またはサービスのため、トラック１のソース符号化は、トラック２のソース符号化と異なり得る。いくつかの実施例において、統合メディアプレーヤー２３０は、プレイリスト７０８の各トラックのソース符号化のフォーマットを特定するように構成され得る。ソース符号化フォーマットを特定することに加えて、統合メディアプレーヤー２３０は、いくつかの実施例において、ソースフォーマットを復号化し、及び／またはプレイリスト７０８の各トラックのソースフォーマットを統合フォーマットに再符号化するように構成され得る。統合フォーマットは、統合メディアプレーヤー２３０が異なるフォーマットにより符号化された異なるソースの曲を含むプレイリスト７０８を再生できるように、統合メディアプレーヤー２３０が読込み可能なフォーマットであり得る。いくつかの実施例において、プレイリスト７０８のそれぞれのトラックの符号化は同一または同様であり得、そして録音は各トラックを統合フォーマットにより符号化することを含み得る。
【００６１】
別の実施形態において、統合メディアプレーヤー２３０は、プレイリストストレージ３１２及び／または適合性階層ストレージ３１４にアクセスし得る。このようなアクセスにより、いくつかの実施例において、統合メディアプレーヤー２３０は、プレイリスト制御モジュール２２８が以前に動作を行ったメディアトラックを集約、統合、あるいは結合することが可能になり得る。例えば、統合メディアプレーヤー２３０は、適合性サービス３０４が特定したオーディオトラック及び／または生成サービス３０６が作成したプレイリストを再生し得る。
【００６２】
プレイリスト７０８に含まれるトラックは、異なる論理的及び／または物理的場所において格納またはアクセスされるため、統合プレーヤーモジュール２３０は、各個別トラックにどのメディアサービス及び／または格納場所が対応付けられているかを特定し得る。別の実施形態によれば、統合プレーヤーモジュール２３０は、プレイリスト７０８に含まれる各トラックにアクセスするためのアクセス経路を特定し得る。１つの実施例において、統合プレーヤーモジュール２３０は、プレイリスト７０８に含まれる各トラックへの各要求アクセスに対しデジタル通信を送信することで、各格納場所及び／またはメディアサービスと通信することを試み得る。いくつかの実施形態において、ユーザ２０２は、サービスまたは格納場所のうちの１つ以上から、統合プレーヤーモジュール２３０が作動するメディアコンテンツサーバ２１０に対するアクセスを許可するように求められ得る。別の事例において、統合プレーヤーモジュール２３０は、ユーザデバイス２０４上に存在し得る。一旦統合プレーヤーモジュール２３０にアクセスが認められると、統合プレーヤーモジュール２３０は、プレイリスト７０８内に列挙されたトラックの適合トラックを特定し、トラックとのユーザ対話（例えば、再生、ランダム再生、検索等）を許可し得る。
【００６３】
図８〜１０は、複数のサービスにまたがってメディアコンテンツを管理するためのそれぞれの工程８００〜１０００を表す例示的フロー図を示す。これらの工程は論理的フロー図として例示され、各動作は、ハードウェア、コンピュータ命令、またはそれらの組合せにおいて実行可能である一連の動作を表す。コンピュータ命令のコンテキストにおいて、動作は、１つ以上のコンピュータ可読記憶媒体上に記憶され、１つ以上のプロセッサにより実行されると列挙された動作を実行するコンピュータ実行可能命令を表す。一般に、コンピュータ実行可能命令には、特定の機能を実行する、または特定のデータ種類を実施するルーチン、プログラム、オブジェクト、コンポーネント、データ構造等が含まれる。動作が説明される順序は、限定として解釈される意図はなく、そして任意の数の説明動作は、工程を実行するために、任意の順序及び／また並列に組わせることが可能である。
【００６４】
さらに、一部、任意、または全ての工程は、実行可能命令で構成された１つ以上のコンピュータシステムの制御の下で実行され、かつハードウェアまたはそれらの組合せにより１つ以上のプロセッサ上で集団的に実行されるコード（例えば実行可能命令、１つ以上のコンピュータプログラム、または１つ以上のアプリケーション）として実施され得る。前記のように、コードは、例えば１つ以上のプロセッサにより実行可能な複数の命令を含むコンピュータプログラムの形態で、コンピュータ可読記憶媒体に記憶され得る。コンピュータ可読記憶媒体は、非一時的であり得る。
【００６５】
図８は、複数のサービスにまたがってメディアコンテンツを管理する工程８００を示す例示的フロー図を描く。図２に示されるメディアコンテンツサーバ２１０が、図８の工程８００を実行し得る。工程８００は、８０２において音楽ファイルの第１ライブラリを特定することから始まり得る。いくつかの実施例において、音楽ファイルの第１ライブラリは、ユーザによりアクセス可能な音楽ファイル第１セットを格納し得る。８０４において、工程８００は、音楽ファイルの第２ライブラリを特定し得る。音楽ファイルの第２ライブラリは、音楽ファイル第２セットを備え、ユーザによりアクセス可能であり得る。いくつかの実施例において、第１ライブラリ及び第２ライブラリは、それぞれの音楽ファイルを別個のディレクトリに従って格納し得る。８０６において、工程８００は、ユーザ（複数可）からプレイリスト（複数可）を受信し、いくつかの実施例において、プレイリスト（複数可）は、音楽プレーヤーにより再生可能であり、かつ８０２の音楽ファイル第１セットの少なくとも１つの音楽ファイルと、８０２の音楽ファイルセットの少なくとも１つの音楽ファイルとを含み得る。８０８において、工程８００は、プレイリストの音楽ファイルごとに、少なくとも第１ライブラリ、第２ライブラリ、及び適合性ライブラリへのアクセスパス（複数可）を特定し得る。いくつかの実施例において、適合性ライブラリは、プレイリストの少なくとも１つの音楽ファイルに対応付けられた情報に少なくとも一部基づいて整理された音楽ファイルを含み得る。８１０において、工程８０は、音楽プレーヤーがプレイリスト（複数可）を再生することを可能に得る。
【００６６】
図９に着目すると、複数のサービスにまたがってメディアコンテンツを管理する工程９００を示す例示的フロー図が描かれる。図２に示されるメディアコンテンツサーバ２１０が、図９の工程９００を実行し得る。工程９００は、９０２において複数のソースを特定することから始まり得る。実施例として、ソースはそれぞれ、個別のオーディオファイルセット（複数可）を管理するように構成され得る。９０４において、工程９００は、ユーザ（複数可）からプレイリスト（複数可）を受信し得る。いくつかの実施例において、プレイリスト（複数可）は、メディアプレーヤー（複数可）により再生されるオーディオファイル（複数可）のリスト（複数可）を特定し得る。９０６において、工程９００は、９０２において特定された複数のソースのうち少なくとも１つから適合トラック（複数可）を特定し得る。いくつかの実施例において、９０６の特定は、適合性階層に少なくとも一部基づき得る。９０８において、工程９００は、複数のソースから特定された少なくとも１つの適合トラック（複数可）をプレイリスト（複数可）に追加し得る。
【００６７】
図１０は、複数のサービスにまたがってメディアコンテンツを管理する工程１０００を示す例示的フロー図を描く。図２に示されるメディアコンテンツサーバ２１０が、図１０の工程１０００を実行し得る。工程１０００は、１００２において複数のソースを特定することから始まり得る。いくつかの実施例において、複数のソースはそれぞれ、電子コンテンツアイテムを含み得る。１００４において、工程１０００は、プレイリスト（複数可）に対するアクセス要求（複数可）を受信し得る。プレイリストは、いくつかの実施例において、複数のソースからの少なくとも１つの電子コンテンツアイテムを含み得る。１００６において、工程１０００は、適合電子コンテンツアイテムを、プレイリストの少なくとも１つの電子コンテンツアイテムと比較し得る。このような比較は、いくつかの実施例において、一致電子コンテンツアイテムを特定するために行われ得る。１００６において比較された適合電子コンテンツアイテムは、いくつかの実施例において、複数のソースのうち少なくとも１つにより追加され得る。１００８において、工程１０００は、プレイリストに一致電子コンテンツアイテムのうち少なくとも１つを含めるように推薦し得る。１０１０において、工程１０００は、一致電子コンテンツアイテムのうち少なくとも１つを含むプレイリストを再生する要求を処理し得る。１０１２において、工程１０００は、各電子コンテンツアイテムへのアクセスパスを特定し得る。このような特定は、いくつかの実施例において、ソースの種類に少なくとも一部依存し得る。
【００６８】
図１１は、様々な実施形態による態様を実行する例示的環境１１００の態様を示す。説明のためにウェブベースの環境が使われているが、前述の内容から分かるように、様々な実施形態を実行するのに異なる環境が適宜使用可能である。環境は電子クライアントデバイス１１０２を含み、当電子クライアントデバイス１１０２には、要求、メッセージ、または情報を好適なネットワーク１１０４を介して送受信し、デバイスのユーザへ情報を返送することが可能な任意の好適なデバイスが含まれ得る。このようなクライアントデバイスの実施例には、パーソナルコンピュータ、携帯電話、手持ち型メッセージングデバイス、ラップトップコンピュータ、セットトップボックス、パーソナルデータアシスタント、電子書籍リーダ等が含まれる。ネットワークには、イントラネット、インターネット、セルラーネットワーク、ローカルエリアネットワーク、その他の同様のネットワーク、またはこれらの組合せを含む任意の好適なネットワークが含まれ得る。このようなシステムに使用される構成要素は、選択されたネットワーク及び／または環境の種類に少なくとも一部依存し得る。このようなネットワークを介して通信するプロトコル及び構成要素はよく知られているため、ここでは詳細について論述しない。ネットワークを介した通信は、有線、または無線接続、及びこれらの組合せにより行われ得る。当実施例において、要求を受信し、要求に応じてコンテンツを提供するウェブサーバ１１０６が環境に含まれるため、ネットワークにはインターネットが含まれるが、他のネットワークに関しては、当業者にとって明らかであるように、同様の目的にかなう代替デバイスを使用することも可能である。
【００６９】
例示的環境には、少なくとも１つのアプリケーションサーバ１１０８とデータストア１１１０とが含まれる。例示的環境には、いくつかのアプリケーションサーバ、レイヤー、または他の要素、工程、もしくは構成要素が存在し、これらは連結あるいは構成され、好適なデータストアからデータを取得するといったタスクを実行するために相互に作用可能である。本明細書において使用される「データストア」という用語は、データ記憶、データアクセス、データ取得が可能な任意のデバイスまたはデバイスの組合せを指し、任意の標準環境、分散環境、またはクラスタ環境における多数のデータサーバ、データベース、データストレージデバイス、データ記憶媒体、及びこれらの任意の組合せを含み得る。アプリケーションサーバには、クライアントデバイス用の１つ以上のアプリケーションの態様を実行するために必要に応じてデータストアと統合し、アプリケーションのデータアクセス及びビジネスロジックの大部分を統御する任意の好適なハードウェア及びソフトウェアが含まれ得る。アプリケーションサーバは、データストアと協働してアクセス制御サービスを提供し、かつユーザに伝送するテキスト、画像、オーディオ、及び／または映像等のコンテンツを生成可能である。当実施例において、生成されたコンテンツは、ハイパーテキストマークアップ言語（ＨＴＭＬ）、拡張マークアップ言語（ＸＭＬ）、または別の好適な構造化言語の形式で、ウェブサーバからユーザに提供され得る。全ての要求及び応答の統御、並びにクライアントデバイス１１０２とアプリケーションサーバ１１０８間のコンテンツ配信は、ウェブサーバにより処理され得る。本明細書において論述する構造化コードは、本明細書の他の箇所に論述される任意の好適なデバイスまたはホストマシン上で実行可能であるため、ウェブサーバ及びアプリケーションサーバは必須ではなく、例示的構成要素にすぎないことは理解されよう。
【００７０】
データストア１１１０には、特定の態様に関連するデータを記憶するためのいくつかの個別のデータテーブル、データベース、または他のデータストレージ機構及び媒体が含まれ得る。例えば、例示されるデータストアには、製作側にコンテンツを提供するのに使用され得る製作データ１１１２及びユーザ情報１１１６を記憶する機構が含まれる。データストアには、報告、分析、またはその他の同様の目的に使用され得るログデータ１１１４を記憶する機構も含まれることが示される。例えばページ画像情報のため、及び正しい情報へアクセスするため、データストアに記憶される必要があり得る多数の他の態様が存在し、これらは、データストア１１１０内の前に列挙された機構のうちいずれかに適宜、または追加機構に記憶され得ることは理解されよう。データストア１１１０は、対応付けられたロジックを通して、アプリケーションサーバ１１０８から命令を受信し、命令に応じてデータを取得、更新あるいは処理することが可能である。１つの実施例において、ユーザはある種類のアイテムの検索を要求し得る。この場合、データストアは、ユーザ情報にアクセスしてユーザの本人確認を行い、そして当種類のアイテムに関する情報を取得するために、カタログ詳細情報にアクセスし得る。取得された情報は、例えばウェブページ上の結果一覧内でユーザに返され、ユーザはこれをユーザデバイス１１０２のブラウザを介して見ることが可能である。特定の注目アイテムに関する情報は、ブラウザの専門ページまたは専門ウィンドウにおいて見ることが可能である。
【００７１】
各サーバは、サーバの一般管理及び動作に関する実行可能プログラム命令を提供するオペレーティングシステムを一般に備え、かつ命令を記憶するコンピュータ可読記憶媒体（例えばハードディスク、ランダムアクセスメモリ、読取専用メモリ等）を一般に備え、当命令がサーバのプロセッサにより実行されると、サーバはその所定の機能を実行可能になる。サーバのオペレーティングシステム及び一般機能の好適な実装は、公知であり、または市販されており、当業者は、特に本明細書の開示を踏まえて、今すぐ実装可能である。
【００７２】
１つの実施形態における環境に、１つ以上のコンピュータネットワークまたは直接接続による通信リンクを介して相互接続されたいくつかのコンピュータシステム及び構成要素を使用する分散コンピューティング環境がある。しかしながら、このようなシステムは、図１１に例示される構成要素よりも少ないまたは多い構成要素を有するシステムにおいても、同等に作動し得ることを、当業者は理解するであろう。従って、図１１におけるシステム１１００の描写は、本来例示として理解されるべきであり、開示内容の範囲を限定するものではない。
【００７３】
様々な実施形態はさらに、多様な動作環境において実行可能であり、いくつかの事例において、いくつかのアプリケーションのうちいずれかを作動させるのに使用され得る１つ以上のユーザコンピュータ、コンピューティングデバイス、または処理デバイスを含み得る。ユーザデバイスすなわちクライアントデバイスには、標準のオペレーティングシステムを実行するデスクトップまたはラップトップコンピュータ、並びにモバイルソフトウェアを実行し、いくつかのネットワーク及びメッセージ通信プロトコルに対応可能なセルラー、無線、及び手持ち型デバイス等、いくつかの汎用パーソナルコンピュータのうちいずれかが含まれ得る。このようなシステムはまた、開発及びデータベース管理等のため様々な市販のオペレーティングシステム及び他の公知のアプリケーションのうちいずれかを実行するいくつかのワークステーションを備え得る。これらのデバイスには、ダミー端末、シンクライアント、ゲーム機、及びネットワークを介して通信可能な他のデバイス等、他の電子デバイスも含まれ得る。
【００７４】
伝送制御プロトコル／インターネットプロトコル（ＴＣＰ／ＩＰ）、開放型システム間相互接続（ＯＳＩ）、ファイル転送プロトコル（ＦＴＰ）、ユニバーサルプラグアンドプレイ（ＵｐｎＰ）、ネットワークファイルシステム（ＮＦＳ）、共通インターネットファイルシステム（ＣＩＦＳ）及びアップルトーク等の様々な市販のプロトコルのうちいずれかを使用する通信に対応するために、大半の実施形態は、当業者によく知られる少なくとも１つのネットワークを利用する。ネットワークには、例えば、ローカルエリアネットワーク、ワイドエリアネットワーク、仮想プライベートネットワーク、インターネット、イントラネット、エクストラネット、公衆交換電話網、赤外線ネットワーク、無線ネットワーク、及びこれらの組合せがあり得る。
【００７５】
ウェブサーバを使用する実施形態において、ウェブサーバは、ハイパーテキスト転送プロトコル（ＨＴＴＰ）サーバ、ＦＴＰサーバ、共通ゲートウェイインターフェイス（ＣＧＩ）サーバ、データサーバ、ジャバサーバ、及びビジネスアプリケーションサーバを含む、様々なサーバまたは中階層アプリケーションのうちいずれかを実行可能である。サーバ（複数可）はまた、ジャバ（Ｊａｖａ（登録商標））、Ｃ、Ｃ＃もしくはＣ＋＋等の任意のプログラミング言語、またはパール（Ｐｅｒｌ）、パイソン（Ｐｙｔｈｏｎ）もしくはツールコマンド言語（ＴＣＬ）等の任意のスクリプト言語、並びにこれらの組合せで書かれた１つ以上のスクリプトまたはプログラムとして実装され得る１つ以上のウェブアプリケーションを実行すること等により、ユーザデバイスからの要求に応じて、プログラムまたはスクリプトを実行可能であり得る。サーバ（複数可）には、オラクル（Ｏｒａｃｌｅ（登録商標））、マイクロソフト（Ｍｉｃｒｏｓｏｆｔ（登録商標））、サイベース（Ｓｙｂａｓｅ（登録商標））、及びアイビーエム（ＩＢＭ（登録商標））から市販されるデータベースサーバを限定することなく含むデータベースも含まれ得る。
【００７６】
環境には、前に論述されたように、様々なデータストアと他のメモリ及び記憶媒体が含まれ得る。これらは、１つ以上のコンピュータのローカルにある（及び／または１つ以上のコンピュータに属する）記憶媒体、またはネットワークを介して任意または全てのコンピュータのリモートにある記憶媒体等、様々な場所に存在し得る。特定の実施形態の一式において、情報は当業者によく知られるストレージエリアネットワーク（ＳＡＮ）に保存され得る。同様に、コンピュータ、サーバ、または他のネットワークデバイスに属する機能を実行するために必要な任意のファイルは、ローカル及び／またはリモートに適宜格納され得る。システムがコンピュータ化デバイスを含む場合、このようなデバイスはそれぞれ、例えば少なくとも１つの中央処理装置（ＣＰＵ）と、少なくとも１つの入力デバイス（例えばマウス、キーボード、コントローラ、タッチスクリーン、またはキーパッド）と、少なくとも１つの出力デバイス（例えばディスプレイデバイス、プリンタ、またはスピーカ）とを含む、バスにより電気的に結合され得るハードウェア要素を含み得る。このようなシステムはまた、ディスクドライブ、光学ストレージデバイス、及び、ランダムアクセスメモリ（ＲＡＭ）もしくは読出専用メモリ（ＲＯＭ）、並びにリムーバブル媒体装置、メモリーカード、フラッシュカード等の固体ストレージデバイス等、１つ以上のストレージデバイスを含み得る。
【００７７】
このようなデバイスはまた、前述のように、コンピュータ可読記憶媒体リーダと、通信デバイス（例えばモデム、ネットワークカード（無線または有線）、赤外線通信デバイス等）と、作業メモリとを含み得る。コンピュータ可読記憶媒体リーダは、コンピュータ可読情報を一時的及び／またはより永久的に保有、記憶、送信、取得する、リモート、ローカル、固定、及び／またはリムーバブルのストレージデバイス並びに記憶媒体に相当するコンピュータ可読記憶媒体と接続、または当コンピュータ可読記憶媒体を受けるように構成され得る。システム及び様々なデバイスはまた一般に、クライアントアプリケーションまたはウェブブラウザ等のオペレーティングシステム及びアプリケーションプログラムを含む、少なくとも１つの作業メモリデバイス内に配置されたいくつかのソフトウェアアプリケーション、モジュール、サービス、または他の要素を含み得る。代替実施形態は、前述からの多数の変形を有し得ることは理解されよう。例えば、カスタマイズされたハードウェアも使用され、及び／または特定の要素がハードウェア、ソフトウェア（アプレット等のポータブルソフトウェアを含む）またはその両方に実装され得る。さらに、ネットワーク入力／出力デバイス等の他のコンピューティングデバイスへの接続が採用され得る。
【００７８】
コードまたはコードの一部を含む記憶媒体及びコンピュータ可読媒体には、当技術分野において既に知られている、または使用されている任意の好適な媒体が含まれ得る。好適な媒体には、コンピュータ可読命令、データ構造、プログラムモジュール、または他データ等の情報の記憶及び／または送信に関する任意の方法または技術において実施される揮発性及び不揮発性、リムーバブル及び固定型媒体が挙げられるがこれに限定されない記憶媒体及び通信媒体が含まれる。これには、ＲＡＭ、ＲＯＭ、電気的消去再書込可能な読出専用メモリ（ＥＥＰＲＯＭ）、フラッシュメモリ、または他のメモリ技術、読取専用コンパクトディスク（ＣＤ−ＲＯＭ）、デジタル多用途ディスク（ＤＶＤ）、もしくは他の光学ストレージ、磁気カセット、磁気テ?プ、磁気ディスクストレージ、もしくは他の磁気ストレージデバイス、または所望の情報を記憶するために使用され、かつシステムデバイスによりアクセス可能なその他媒体が含まれる。本明細書において提供される開示及び教示に基づいて、当業者は、様々な実施形態を実行する他のやり方及び／または方法を理解するであろう。
【００７９】
従って、明細書及び図面は、限定的ではなく例示的な意味で見られるべきである。しかしながら、特許請求の範囲に記載される開示内容の広い精神と範囲から逸脱しない程度に、これらに対する様々な修正及び変更を行うことが可能であることは明白であろう。
【００８０】
他の変形は、本開示の精神の範囲内で行われる。従って、開示される技術は、様々な修正及び代替構造を実施することが可能であるが、これらのある例示的実施形態は図面に示され、前に詳述されている。しかしながら、特定の形式または開示された形式に開示内容を限定する意図はなく、それとは逆に、添付の請求項において定義される開示内容の精神と範囲に入る全ての修正、代替構造、及び同等物を含める意図があることは理解されよう。
【００８１】
開示される実施形態を説明する文脈（特に以下の請求項の文脈）において使用される「前記」及び同様の指示語は、本明細書において特に指示がないか、または明らかに文脈と矛盾しない限り、単数と複数の両方を対象にすると解釈されるべきである。「備える」、「有する」、「含む」の用語は、特に断りのない限り、無制限の用語（すなわち「含むがこれに限定されない」という意味）として解釈されるべきである。用語「接続される」は、何かが介在しているとしても、部分的または全体的に含まれる、取付けられる、結合される、という意味で解釈されるべきである。本明細書における値の範囲の詳述は、本明細書において特に指示のない限り、範囲内に入る個々の値を個別に指す簡略な方法として使用されることを単に意図し、そして個々の値は、本明細書において個別に詳述されているかのように、明細書に組み込まれる。本明細書において説明される全ての方法は、本明細書において特に指示がないか、または明らかに文脈と矛盾しない限り、任意の好適な順序で行うことが可能である。本明細書において提供される任意及び全ての実施例または例示語（例えば「等」）の使用は、単に開示の実施形態をより分かり易くすることを意図し、特に請求のない限り開示内容の範囲を限定するものではない。明細書におけるどの文面も、任意の非請求要素が、開示内容の実行に必須であるかのように解釈されるべきではない。
【００８２】
語句「Ｘ、Ｙ、Ｚのうち少なくとも１つ」等の選言的言葉使いは、特に明言のない限り、項目、項等がＸ、Ｙ、Ｚのいずれか、またはこれらの任意の組合せ（例えばＸ、Ｙ、及び／またはＺ）であり得ることを表すのに一般に使用される文脈の範囲内で理解される。従って、このような選言的言葉使いは、ある実施形態が少なくとも１つのＸ、少なくとも１つのＹ、少なくとも１つのＺそれぞれが存在することを要求することを意味する意図は一般になく、また意味するべきではない。
【００８３】
開示の実施形態は以下の項を以って説明され得る。
（第１項）
第１音楽サービスに対応付けられた音楽トラックの第１ライブラリを特定することであって、第１音楽サービスは音楽トラックの第１ライブラリの１つ以上のトラックを含むプレイリストの生成を可能にし、１つ以上のトラックのうち少なくとも１つは１つ以上のトラックにそれぞれ対応するメタデータを含む、第１ライブラリを特定することと、
プレイリスト適合性サービスの１つ以上のコンピュータシステムにより、１つ以上のトラックを含むプレイリストを受信することと、
プレイリストの１つ以上のトラックのうち少なくとも１つのトラックに関して、一致トラックを求めて第２音楽サービスに対応付けられた音楽トラックの第２ライブラリを検索することであって、一致トラックは適合性階層に少なくとも一部基づいて特定され、適合性階層は、少なくとも１つのトラックに個々に対応するメタデータと、音楽トラックの第２ライブラリのそれぞれのトラックに対応する第２メタデータとに少なくとも一部基づいた複数の適合性レベルを含む、第２ライブラリを検索することと、
第１音楽サービスが生成したプレイリストが音楽トラックの第２ライブラリのそれぞれのトラックで再生可能なように、少なくとも一致トラックをプレイリストに追加することと、
第２音楽サービスがプレイリストを使用して音楽トラックの第２ライブラリのそれぞれのトラックを再生することを可能にすることと
を含むコンピュータ実施方法。
（第２項）
複数の適合性レベルは、ビット単位同一ファイル、ビット単位概同一ファイル、閾値未満で変化した複製ファイル、同一条件下での同一実演者による代替実演、異なる条件下での同一実演者による第２代替実演、または異なる実演者による異なる実演のうち、少なくとも２つ含む、第１項に記載のコンピュータ実施方法。
（第３項）
複数の適合性レベルに少なくとも一部基づいて、一致トラックに関する適合スコアを決定することをさらに含む第２項に記載のコンピュータ実施方法。
（第４項）
音楽トラックの第１ライブラリは、第２音楽サービスによりアクセス不可能である第１項に記載のコンピュータ実施方法。
（第５項）
プレイリストを使用して音楽トラックの第２ライブラリのそれぞれのトラックの再生を可能にするために、第２音楽サービスに対しプレイリストを提供することをさらに含む第１項に記載のコンピュータ実施方法。
（第６項）
コンピュータ実行可能命令を記憶するメモリと、
メモリにアクセスし、コンピュータ実行可能命令を実行して、集合的に少なくとも
複数の電子コンテンツアイテムを特定するリストを受信し、リストのうち少なくとも１つのアイテムは第１サービスプロバイダに対応付けられており、
適合性階層に少なくとも一部基づいて、少なくとも１つのアイテムに対応する第２サービスプロバイダに対応付けられた一致アイテムを特定し、
少なくとも１つのアイテムの代わりに一致アイテムに対しアクションを実行するように第２サービスプロバイダに命令を与える
ように構成されたプロセッサと
を備えるシステム。
（第７項）
適合性階層は、適合性測定の順位リストを備える、第６項に記載のシステム。
（第８項）
適合性測定には、完全アイテム一致、複製アイテム一致、代替同一アイテム一致、代替異質アイテム一致、異質実演アイテム一致、または変形アイテム一致のうち、少なくとも１つが含まれる、第７項に記載のシステム。
（第９項）
完全アイテム一致が第２サービスプロバイダにより提供される場合、一致アイテムは特定される、第８項に記載のシステム。
（第１０項）
完全アイテム一致が第２サービスプロバイダにより提供されない場合、別のアイテムが推薦される、第８項に記載のシステム。
（第１１項）
別のアイテムは、第２サービスプロバイダにより提供される、複製アイテム、代替同一アイテム、代替異質アイテム、異質実演アイテム、または変形アイテムのうち、少なくとも１つである、第１０項に記載のシステム。
（第１２項）
複数の電子コンテンツアイテムは、オーディオファイルまたはビデオファイルのうち少なくとも１つを含む、第６項に記載のシステム。
（第１３項）
第１サービスプロバイダは、音楽サービス、ビデオサービス、またはメディアプレーヤーのうち少なくとも１つを備える、第６項に記載のシステム。
（第１４項）
コンピュータ実行可能命令を記憶するメモリと、
メモリにアクセスし、コンピュータ実行可能命令を実行して、集合的に少なくとも
メタデータに対応付けられた、第１サービスプロバイダに対応する電子オーディオファイルを特定し、
第２サービスプロバイダの適合オーディオファイルに対するアクセス要求を受信し、
少なくとも
第２サービスプロバイダのファイル内で完全一致を検索し、
完全一致が見つからない場合、第２サービスプロバイダのファイル内で複製一致を検索し、
複製一致が見つからない場合、第２サービスプロバイダのファイル内で代替一致を検索し、
代替一致が見つからない場合、第２サービスプロバイダのファイル内で異質一致を検索し、
異質一致が見つからない場合、第２サービスプロバイダのファイル内で変形一致を検索する
ために、適合性階層を使用して、電子オーディオファイルの関連情報に少なくとも一部基づいて第２サービスプロバイダの適合オーディオファイルを特定する
ように構成されたプロセッサと
を備えるシステム。
（第１５項）
完全一致は、電子オーディオファイルと適合オーディオファイルのビット単位完全一致を含む、第１４項に記載のシステム。
（第１６項）
複製一致は、複製工程により軽微に変化した、電子オーディオファイルのコンテンツの複製である適合オーディオファイルを含む、第１４項に記載のシステム。
（第１７項）
代替一致は、電子オーディオファイルのコンテンツの代替実演である適合オーディオファイルを含み、代替実演は、適合オーディオファイルに関して同一実演者と同一実演条件とを含む、第１４項に記載のシステム。
（第１８項）
代替一致は、電子オーディオファイルのコンテンツの代替実演である適合オーディオファイルを含み、代替実演は、適合オーディオファイルのコンテンツに関して同一実演者と異なる実演条件とを含む、第１４項に記載のシステム。
（第１９項）
異質一致は、電子オーディオファイルのコンテンツの異なる実演者による異なる実演である適合オーディオファイルを含む、第１４項に記載のシステム。
（第２０項）
変形一致は、電子オーディオファイルのコンテンツの異なる編曲である適合オーディオファイルを含む、第１４項に記載のシステム。
（第２１項）
ユーザによりアクセス可能な音楽ファイル第１セットを管理するように構成された第１ライブラリを特定することと、
コンピュータシステムにより、ユーザによりアクセス可能な音楽ファイル第２セットを管理するように構成された第２ライブラリを特定することであって、第１ライブラリと第２ライブラリは別個のディレクトリに従ってそれぞれの音楽ファイルを格納する、第２ライブラリを特定することと、
ユーザからプレイリストを受信することであって、リストに整理されたプレイリストは、音楽プレーヤーにより再生可能であり、音楽ファイル第１セットから少なくとも１つの音楽ファイルと、音楽ファイル第２セットから少なくとも１つの音楽ファイルとを含む、プレイリストを受信することと、
プレイリストの少なくとも１つの音楽ファイルに関して、少なくとも
第１ライブラリ、
第２ライブラリ、
または適合性ライブラリ
へのアクセスパスを特定することであって、適合性ライブラリの音楽ファイルはプレイリストの少なくとも１つの音楽ファイルに対応付けられた情報に少なくとも一部基づいて整理される、アクセスパスを特定することと、
音楽プレーヤーがプレイリストを再生することを可能にすることと
を含むコンピュータ実施方法。
（第２２項）
音楽プレーヤーがプレイリストを再生することを可能にする前に、第１ライブラリに対し音楽ファイル第１セットへのアクセス要求を行うことと、第２ライブラリに対し音楽ファイル第２セットへのアクセス要求を行うこととをさらに含む第２１項に記載のコンピュータ実施方法。
（第２３項）
第１ライブラリはユーザのストレージデバイスに対応付けられ、第２ライブラリはユーザに対しネットワークを介して音楽ファイルを提供するように構成された音楽サービスに対応付けられている、第２１項に記載のコンピュータ実施方法。
（第２４項）
プレイリストは、適合性ライブラリの音楽ファイルのうち少なくとも１つを含む、第２１項に記載のコンピュータ実施方法。
（第２５項）
適合性ライブラリの音楽ファイルは、複数の一致レベルを有する適合性階層に少なくとも一部基づいて整理される、第２１項に記載のコンピュータ実施方法。
（第２６項）
複数の一致レベルは、ビット単位同一ファイル、ビット単位概同一ファイル、閾値未満で変化した複製ファイル、同一条件下での同一実演者による代替実演、異なる条件下での同一実演者による第２代替実演、または異なる実演者による異なる実演のうち、少なくとも２つ含む、第２１項に記載のコンピュータ実施方法。
（第２７項）
コンピュータ実行可能命令を記憶するコンピュータ可読ストレージデバイスであって、コンピュータ実行可能命令は１つ以上のコンピュータシステムにより実行されると、１つ以上のコンピュータシステムに
複数のソースを特定することであって、それぞれの複数のソースは、複数のソースごとにそれぞれ構成された独立したメディアコンテンツライブラリに対応付けられている、複数のソースを特定することと、
メディアプレーヤーが再生する複数のソースのメディアファイルを特定するプレイリストを受信することであって、メディアファイルのうち少なくとも１つは、複数のソースのうち少なくとも１つのソースの少なくとも１つの個別の構成において利用可能である、プレイリストを受信することと、
プレイリストのメディアファイルのうち少なくとも１つのメディアファイルに関して、複数のソースのうち少なくとも１つから適合メディアファイルを、適合性階層に少なくとも一部基づいて特定することと、
複数のソースのうち少なくとも１つから特定された適合メディアファイルをプレイリストに追加することと
を含む動作を実行させる、コンピュータ可読ストレージデバイス。
（第２８項）
適合性階層はメディアファイル一致の複数の階層レベルを含み、複数の階層レベルは、ビット単位同一ファイル、ビット単位概同一ファイル、閾値未満で変化した複製ファイル、同一条件下での同一実演者による代替実演、異なる条件下での同一実演者による第２代替実演、または異なる実演者による異なる実演のうち、少なくとも２つ含む、第２７項に記載のコンピュータ可読ストレージデバイス。
（第２９項）
複数のソースには、１つ以上のコンピュータシステムのローカルストレージデバイス、１つ以上のコンピュータシステムの外部のストレージデバイス、またはネットワークを介してアクセス可能なサービスプロバイダが含まれる、第２７項に記載のコンピュータ可読ストレージデバイス。
（第３０項）
それぞれ個別に構成されたメディアコンテンツライブラリのファイルは、関連ソースのメディアプレーヤーで再生されるようにフォーマット化される、第２７項に記載のコンピュータ可読ストレージデバイス。
（第３１項）
第１メディアコンテンツライブラリの第１フォーマットは、第２メディアコンテンツライブラリの第２フォーマットとは異なる、第３０項に記載のコンピュータ可読ストレージデバイス。
（第３２項）
１つ以上のコンピュータシステムはさらに、メディアプレーヤーがデータ追加されたプレイリストを再生することを可能にすることを含む動作を実行するように構成される、第２７項に記載のコンピュータ可読ストレージデバイス。
（第３３項）
プレイリストは、メディアプレーヤーのユーザから受信される、第２７項に記載のコンピュータ可読ストレージデバイス。
（第３４項）
独立したメディアコンテンツライブラリはそれぞれ、ユーザに対応付けられている、第３３項に記載のコンピュータ可読ストレージデバイス。
（第３５項）
コンピュータ実行可能命令を記憶するメモリと、
メモリにアクセスし、コンピュータ実行可能命令を実行して、集合的に少なくとも
電子コンテンツアイテムをそれぞれ含む複数のソースを特定し、
複数のソースからの少なくとも１つの電子コンテンツアイテムを特定する情報を含むプレイリストへのアクセス要求を受信し、
一致電子コンテンツアイテムを特定するために、複数のソースのうち少なくとも１つにより追加された適合電子コンテンツアイテムと、プレイリストのうち少なくとも１つの電子コンテンツアイテムを比較し、
プレイリストに一致電子コンテンツアイテムのうち少なくとも１つを含めるように推薦し、
一致電子コンテンツアイテムのうち少なくとも１つを含むプレイリストを再生する要求を処理し、
プレイリストの各電子コンテンツアイテムに対する、ソースの種類に少なくとも一部基づくアクセスパスを特定する
ように構成されたプロセッサと
を備えるシステム。
（第３６項）
複数のソースのうち少なくとも１つは、ネットワークを介してアクセス可能なウェブベースストレージサービスを備える、第３５項に記載のシステム。
（第３７項）
プロセッサはさらに、メモリにアクセスし、コンピュータ実行可能命令を実行して、集合的に少なくとも
複数のソースに対し、それぞれの電子コンテンツアイテムへのアクセス許可を要求し、
電子コンテンツアイテムへのアクセスが認められたか否かに関する通信を処理する
ように構成された、第３５項に記載のシステム。
（第３８項）
プレイリストは少なくとも一部、複数のソースのうち少なくとも１つにより作成される、第３５項に記載のシステム。
（第３９項）
複数のソースのうち少なくとも１つは、適合電子コンテンツアイテムを追加可能なソースと同じソースを含む、第３８項に記載のシステム。
（第４０項）
複数のソースのうち少なくとも１つへのアクセスパスは、公衆ネットワークを含む、第３５項に記載のシステム。
（第４１項）
プレイリストの電子コンテンツアイテムは、オーディオファイル、ビデオファイル、画像ファイル、オーディオブックファイル、ドキュメントファイルのうち、少なくとも１つを含む、第３５項に記載のシステム。
（第４２項）
一致電子コンテンツアイテムは、適合性階層に少なくとも一部基づいて特定される、第３５項に記載のシステム。
【００８４】
本明細書において説明される当開示の好ましい実施形態には、説明された実施形態を実行するにあたって発明者が知る最適な形態が含まれる。当業者にとって、これらの好ましい実施形態の変形は、前述の説明を読むことで明らかになり得る。発明者は、当業者がこのような変形を適宜採用することを所望し、また発明者は、本明細書において開示される実施形態が、本明細書において具体的に記載された以外の方法で実行されることを想定する。従って、当開示は、本明細書に添付される請求項において詳述される内容の全ての修正及び均等物を、適用法令により認可したものとして含む。さらに、これらの全ての可能な変形における前述の要素の任意の組合せは、本明細書において特に指示がないか、または明らかに文脈と矛盾しない限り、開示内容に含まれる。
【００８５】
本明細書において引用された公報、特許出願及び特許を含む全ての参考文献は、各文献が参照により取込まれるように個別に具体的に示され、その全体が本明細書において記載されているのと同程度に、参照することにより本明細書に組み込まれる。 
【図１】
0006475744.tif 000002
【図２】
0006475744.tif 000003
【図３】
0006475744.tif 000004
【図４】
0006475744.tif 000005
【図５】
0006475744.tif 000006
【図６】
0006475744.tif 000007
【図７】
0006475744.tif 000008
【図８】
0006475744.tif 000009
【図９】
0006475744.tif 000010
【図１０】
0006475744.tif 000011
【図１１】
0006475744.tif 000012